(57)【要約】【課題】通信処理をより高効率化させることにより速度の低下を抑制することができるようにする。【解決手段】  学習部１０７４がアプリケーション処理の成否を学習し、時間別優先情報１０７５Ａを生成し、出力TS制御部１０８２がその時間別優先情報１０７５Ａに基づいてID出力のタイミングを制御することにより、UD１００２は、ユーザ１０２１による時間帯毎の使用傾向（いつ、どのようなサービスを受ける可能性が高いか）を把握し、その傾向に基づいてID出力の優先度を制御し、リーダライタ１００１が提供するサービスに対応する可能性が高い場合、優先的にリーダライタ１００１に取得させるようにIDを出力する。本発明は、通信システムに適用することができる。【選択図】図３６
2006352699.tif 000002
【特許請求の範囲】
【請求項１】
通信媒体を介して他の通信装置と通信を行う通信装置を備える通信システムであって、
前記通信装置は、
前記他の通信装置より送信される前記通信装置の識別情報の要求に対して、前記識別情報を前記他の通信装置に送信する応答処理を行う識別情報要求応答手段と、
前記識別情報要求応答手段により前記識別情報を送信した前記他の通信装置と通信を行い、所定のアプリケーションに関する処理を行うアプリケーション処理手段と、
所定の条件に対する、前記アプリケーション処理手段による前記アプリケーションに関する処理の成否の傾向を学習する学習手段と
を備え、
前記識別情報要求応答手段は、前記学習手段による学習結果に基づいて、前記要求に対する前記識別情報の出力を制御する
ことを特徴とする通信システム。
【請求項２】
通信媒体を介して他の通信装置と通信を行う通信装置であって、
前記他の通信装置より送信される前記通信装置の識別情報の要求に対して、前記識別情報を前記他の通信装置に送信する応答処理を行う識別情報要求応答手段と、
前記識別情報要求応答手段により前記識別情報を送信した前記他の通信装置と通信を行い、所定のアプリケーションに関する処理を行うアプリケーション処理手段と、
所定の条件に対する、前記アプリケーション処理手段による前記アプリケーションに関する処理の成否の傾向を学習する学習手段と
を備え、
前記識別情報要求応答手段は、前記学習手段による学習結果に基づいて、前記要求に対する前記識別情報の出力を制御する
ことを特徴とする通信装置。
【請求項３】
前記識別情報要求応答手段は、
前記他の通信装置より送信される前記要求を取得する要求取得手段と、
前記要求取得手段により取得された前記要求に対する応答として、前記識別情報を前記他の通信装置に供給する識別情報供給手段と、
前記識別情報供給手段による前記識別情報の供給タイミングを、前記学習結果に基づいて制御する出力制御手段と
を備えることを特徴とする請求項２に記載の通信装置。
【請求項４】
前記学習手段は、前記アプリケーションに関する処理の成否の、予め定められた所定の時間帯毎の傾向を学習し、前記学習結果として、前記傾向に対応する、前記時間帯毎の、前記他の通信装置における前記識別情報の優先度を示す時間別優先度情報を作成し、
前記出力制御手段は、前記学習手段により学習結果として作成された前記時間別優先度情報に基づいて、前記識別情報の供給タイミングを制御する
ことを特徴とする請求項３に記載の通信装置。
【請求項５】
前記出力制御手段は、前記優先度が高い時間帯において、前記識別情報の供給タイミングを時間的により前になるように制御し、前記優先度が低い時間帯において、前記識別情報の供給タイミングを時間的により後になるように制御する
ことを特徴とする請求項４に記載の通信装置。
【請求項６】
前記学習手段は、前記アプリケーションに関する処理の成否の、前記他の装置の機種毎の傾向を学習し、前記学習結果として、前記傾向に対応する、前記他の装置の機種毎の、前記他の通信装置における前記識別情報の優先度を示す機種別優先度情報を作成し、
前記出力制御手段は、前記学習手段により学習結果として作成された前記機種別優先度情報に基づいて、前記識別情報の供給タイミングを制御する
ことを特徴とする請求項３に記載の通信装置。
【請求項７】
前記出力制御手段は、前記他の通信装置が前記優先度が高い機種である場合、前記識別情報の供給タイミングを時間的により前になるように制御し、前記優先度が低い機種である場合、前記識別情報の供給タイミングを時間的により後になるように制御する
ことを特徴とする請求項６に記載の通信装置。
【請求項８】
前記学習手段の前記学習結果を一時的に保持する保持手段をさらに備え、
前記出力制御手段は、前記保持手段により保持されている前記学習結果に基づいて、前記識別情報の供給タイミングを制御する
ことを特徴とする請求項３に記載の通信装置。
【請求項９】
通信媒体を介して他の通信装置と通信を行う通信装置の通信方法であって、
前記他の通信装置と通信を行い、所定のアプリケーションに関する処理を行うアプリケーション処理ステップと、
所定の条件に対する、前記アプリケーション処理ステップの処理による前記アプリケーションに関する処理の成否の傾向を学習する学習ステップと、
前記学習ステップの処理による学習結果に基づいて、前記他の通信装置より送信される前記通信装置の識別情報の要求に対して、前記識別情報を前記他の通信装置に送信する応答処理を行う識別情報要求応答ステップと
を含むことを特徴とする通信方法。
【請求項１０】
通信媒体を介して他の通信装置と通信を行う処理をコンピュータに行わせるプログラムであって、
前記他の通信装置と通信を行い、所定のアプリケーションに関する処理を行うアプリケーション処理ステップと、
所定の条件に対する、前記アプリケーション処理ステップの処理による前記アプリケーションに関する処理の成否の傾向を学習する学習ステップと、
前記学習ステップの処理による学習結果に基づいて、前記他の通信装置より送信される前記通信装置の識別情報の要求に対して、前記識別情報を前記他の通信装置に送信する応答処理を行う識別情報要求応答ステップと
を含むことを特徴とするプログラム。
【発明の詳細な説明】
【技術分野】
【０００１】
本発明は、通信システム、通信装置および方法、並びにプログラムに関し、特に、通信処理をより高効率化させることにより速度の低下を抑制することができるようにする通信システム、通信装置および方法、並びにプログラムに関する。
【背景技術】
【０００２】
近年、情報処理技術の発達に伴い、近距離無線通信を利用して各種サービスを提供する通信システムが普及し始めており、例えば、公共交通機関の乗車運賃の支払い、商店における商品やチケットの購入、社員証や入館証等のような個人認証、ドア開錠等のセキュリティシステム、社員食堂での支払い等、様々な用途に利用されている。
【０００３】
このようなシステムにおいて、ユーザは、例えばICカードのような、近距離無線通信を行う通信機能と、個人情報や所持金情報等を記憶する記録媒体とを有する携帯用デバイスを携帯し、料金の支払いや個人認証等のサービスを受ける際に、その携帯用デバイスを、サービス提供者側のリーダライタに近接または接触させ、通信させることにより、サービスを受けることができる。
【０００４】
このような通信システムを利用したサービスシステムが普及し、様々な場所で様々なサービスが提供されることにより、サービス提供者やシステム構成の違い等から、１つの携帯デバイスによって全てのサービスの提供を受けることが困難になってきた。そこで通信デバイスとしては同一であっても（互いに同じ通信方式によってリーダライタ等の他のデバイスと通信を行う場合でも）、互いに異なるサービスに対応する複数種類の携帯用デバイスが存在するようになった。
【０００５】
従って、例えば、公共交通機関の乗車運賃の支払いはできても会社のドアの開錠を行うことはできないICカードや、社員食堂での食事代の支払いは可能であっても、コンビニエンスストアでの商品の購入は不可能なICカードのように、ユーザは、受けたいサービスに応じて利用する携帯用デバイスを選択する必要が生じるようになった。
【０００６】
しかしながら、この場合、複数の携帯用デバイスを有するユーザが、サービスの提供を受ける度にそのサービスに対応する携帯用デバイスを選択し、それをリーダライタと通信させる等、煩雑な作業を必要とする。
【０００７】
そこで、サービスを提供するリーダライタが複数の携帯用デバイスの中からサービスに対応する携帯用デバイスを検索し、その携帯用デバイスと通信を行い、サービスを提供する方法があった（例えば特許文献１参照）。つまり、ユーザは、所有する複数の携帯用デバイスの全てを、例えばリーダライタに近接させる等、リーダライタと通信させることにより、リーダライタが自動的にサービスに対応した携帯用デバイスを選択する。これにより、ユーザは煩雑な作業を伴わずにサービスの提供を受けることができるようになる。
【０００８】
【特許文献１】特開２００３−３１７０４２号公報
【発明の開示】
【発明が解決しようとする課題】
【０００９】
しかしながら、このようにリーダライタが複数の携帯用デバイスよりサービスに対応する携帯用デバイスを選択する場合、リーダライタは、毎回、提示された全ての携帯用デバイスと通信を行い、その中からサービスに対応する携帯用デバイスを検索しなければならず、本来のサービス提供に関する通信と直接関係の無いこの検索処理によって通信処理の効率が低下し、その負荷や処理時間が増大してしまう恐れがあった。
【００１０】
特に自動改札等のように素早くサービスを提供することも望まれる場合においては、不要な検索処理を極力軽減させることが望ましい。
【００１１】
本発明はこのような状況に鑑みてなされたものであり、通信処理をより高効率化させることにより速度の低下を抑制するようにするものである。
【課題を解決するための手段】
【００１２】
本発明の通信システムは、通信媒体を介して他の通信装置と通信を行う通信装置を備える通信システムであって、通信装置においては、他の通信装置より送信される通信装置の識別情報の要求に対して、識別情報を他の通信装置に送信する応答処理を行う識別情報要求応答手段と、識別情報要求応答手段により識別情報を送信した他の通信装置と通信を行い、所定のアプリケーションに関する処理を行うアプリケーション処理手段と、所定の条件に対する、アプリケーション処理手段によるアプリケーションに関する処理の成否の傾向を学習する学習手段とを備え、識別情報要求応答手段は、学習手段による学習結果に基づいて、要求に対する識別情報の出力を制御することを特徴とする。
【００１３】
本発明の通信装置は、通信媒体を介して他の通信装置と通信を行う通信装置であって、他の通信装置より送信される通信装置の識別情報の要求に対して、識別情報を他の通信装置に送信する応答処理を行う識別情報要求応答手段と、識別情報要求応答手段により識別情報を送信した他の通信装置と通信を行い、所定のアプリケーションに関する処理を行うアプリケーション処理手段と、所定の条件に対する、アプリケーション処理手段によるアプリケーションに関する処理の成否の傾向を学習する学習手段とを備え、識別情報要求応答手段は、学習手段による学習結果に基づいて、要求に対する識別情報の出力を制御することを特徴とする。
【００１４】
前記識別情報要求応答手段は、他の通信装置より送信される要求を取得する要求取得手段と、要求取得手段により取得された要求に対する応答として、識別情報を他の通信装置に供給する識別情報供給手段と、識別情報供給手段による識別情報の供給タイミングを、学習結果に基づいて制御する出力制御手段とを備えるようにすることができる。
【００１５】
前記学習手段は、アプリケーションに関する処理の成否の、予め定められた所定の時間帯毎の傾向を学習し、学習結果として、傾向に対応する、時間帯毎の、他の通信装置における識別情報の優先度を示す時間別優先度情報を作成し、出力制御手段は、学習手段により学習結果として作成された時間別優先度情報に基づいて、識別情報の供給タイミングを制御するようにすることができる。
【００１６】
前記出力制御手段は、優先度が高い時間帯において、識別情報の供給タイミングを時間的により前になるように制御し、優先度が低い時間帯において、識別情報の供給タイミングを時間的により後になるように制御するようにすることができる。
【００１７】
前記学習手段は、アプリケーションに関する処理の成否の、他の装置の機種毎の傾向を学習し、学習結果として、傾向に対応する、他の装置の機種毎の、他の通信装置における識別情報の優先度を示す機種別優先度情報を作成し、出力制御手段は、学習手段により学習結果として作成された機種別優先度情報に基づいて、識別情報の供給タイミングを制御するようにすることができる。
【００１８】
前記出力制御手段は、他の通信装置が優先度が高い機種である場合、識別情報の供給タイミングを時間的により前になるように制御し、優先度が低い機種である場合、識別情報の供給タイミングを時間的により後になるように制御するようにすることができる。
【００１９】
前記学習手段の学習結果を一時的に保持する保持手段をさらに備え、出力制御手段は、保持手段により保持されている学習結果に基づいて、識別情報の供給タイミングを制御するようにすることができる。
【００２０】
本発明の通信方法は、他の通信装置と通信を行い、所定のアプリケーションに関する処理を行うアプリケーション処理ステップと、所定の条件に対する、アプリケーション処理ステップの処理によるアプリケーションに関する処理の成否の傾向を学習する学習ステップと、学習ステップの処理による学習結果に基づいて、他の通信装置より送信される通信装置の識別情報の要求に対して、識別情報を他の通信装置に送信する応答処理を行う識別情報要求応答ステップとを含むことを特徴とする。
【００２１】
本発明のプログラムは、他の通信装置と通信を行い、所定のアプリケーションに関する処理を行うアプリケーション処理ステップと、所定の条件に対する、アプリケーション処理ステップの処理によるアプリケーションに関する処理の成否の傾向を学習する学習ステップと、学習ステップの処理による学習結果に基づいて、他の通信装置より送信される通信装置の識別情報の要求に対して、識別情報を他の通信装置に送信する応答処理を行う識別情報要求応答ステップとを含むことを特徴とする。
【００２２】
本発明の通信システムにおいては、通信媒体を介して他の通信装置と通信を行う通信装置が備えられ、通信装置においては、他の通信装置より送信される通信装置の識別情報の要求に対して、識別情報を他の通信装置に送信する応答処理が行われ、識別情報が送信された他の通信装置と通信が行われ、所定のアプリケーションに関する処理が行われ、所定の条件に対する、アプリケーションに関する処理の成否の傾向が学習され、その学習結果に基づいて、要求に対する識別情報の出力が制御される。
【００２３】
本発明の通信装置及び方法、並びにプログラムにおいては、他の通信装置より送信される通信装置の識別情報の要求に対して、識別情報を他の通信装置に送信する応答処理が行われ、識別情報が送信された他の通信装置と通信が行われ、所定のアプリケーションに関する処理が行われ、所定の条件に対する、アプリケーションに関する処理の成否の傾向が学習され、その学習結果に基づいて、要求に対する識別情報の出力が制御される。
【発明の効果】
【００２４】
本発明によれば、通信処理をより高効率化させることにより速度の低下を抑制することができる。
【発明を実施するための最良の形態】
【００２５】
以下に本発明の実施の形態を説明するが、本明細書に記載の発明と、発明の実施の形態との対応関係を例示すると、次のようになる。この記載は、請求項に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２６】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により追加されたりする発明の存在を否定するものではない。
【００２７】
本発明においては、通信媒体（例えば、図３４のユーザ）を介して他の通信装置（例えば、図３４のリーダライタ）と通信を行う通信装置（例えば、図３４のUD）を備える通信システム（例えば、図３４の通信システム）が提供される。この通信システムでは、通信装置が、他の通信装置より送信される通信装置の識別情報の要求に対して、識別情報を他の通信装置に送信する応答処理を行う識別情報要求応答手段（例えば、図３６のID要求応答部）と、識別情報要求応答手段により識別情報を送信した他の通信装置と通信を行い、所定のアプリケーションに関する処理を行うアプリケーション処理手段（例えば、図３６のアプリケーション処理応答部）と、所定の条件に対する、アプリケーション処理手段によるアプリケーションに関する処理の成否の傾向を学習する学習手段（例えば、図３６の学習部）とを備え、識別情報要求応答手段は、学習手段による学習結果に基づいて、要求に対する識別情報の出力を制御する。
【００２８】
前記識別情報要求応答手段は、他の通信装置より送信される要求を取得する要求取得手段（例えば、図３６のID要求取得部）と、要求取得手段により取得された要求に対する応答として、識別情報を他の通信装置に供給する識別情報供給手段（例えば、図３６のID返答供給部）と、識別情報供給手段による識別情報の供給タイミングを、学習結果に基づいて制御する出力制御手段（例えば、図３６の出力TS制御部）とを備えるようにすることができる。
【００２９】
前記学習手段は、アプリケーションに関する処理の成否の、予め定められた所定の時間帯毎の傾向を学習し、学習結果として、傾向に対応する、時間帯毎の、他の通信装置における識別情報の優先度を示す時間別優先度情報（例えば、図３６の時間別優先情報）を作成し、出力制御手段は、学習手段により学習結果として作成された時間別優先度情報に基づいて、識別情報の供給タイミングを制御するようにすることができる。
【００３０】
前記学習手段は、アプリケーションに関する処理の成否の、他の装置の機種毎の傾向を学習し、学習結果として、傾向に対応する、他の装置の機種毎の、他の通信装置における識別情報の優先度を示す機種別優先度情報（例えば、図５０の機種別優先情報）を作成し、出力制御手段は、学習手段により学習結果として作成された機種別優先度情報に基づいて、識別情報の供給タイミングを制御するようにすることができる。
【００３１】
前記学習手段の学習結果を一時的に保持する保持手段（例えば、３６の優先情報保持部）をさらに備え、出力制御手段は、保持手段により保持されている学習結果に基づいて、識別情報の供給タイミングを制御するようにすることができる。
【００３２】
本発明においては、通信媒体（例えば、図３４のユーザ）を介して他の通信装置（例えば、図３４のリーダライタ）と通信を行う通信装置（例えば、図３４のUD）の通信方法が提供される。この通信方法においては、他の通信装置と通信を行い、所定のアプリケーションに関する処理を行うアプリケーション処理ステップ（例えば、図４０のステップＳ１２３）と、所定の条件に対する、アプリケーション処理ステップの処理によるアプリケーションに関する処理の成否の傾向を学習する学習ステップ（例えば、図４０のステップＳ１２４）と、学習ステップの処理による学習結果に基づいて、他の通信装置より送信される通信装置の識別情報の要求に対して、識別情報を他の通信装置に送信する応答処理を行う識別情報要求応答ステップ（例えば、図４６のステップＳ３２４）とを含むことを特徴とする。
【００３３】
本発明のプログラムにおいても、各ステップが対応する実施の形態（但し一例）は、本発明の通信方法と同様である。
【００３４】
以下、本発明の実施の形態について図を参照して説明する。最初に、図１乃至図３３を参照して、本発明を適用する通信システムの例として、物理的な基準点経路を不要とし、通信信号伝達経路のみによる通信を実現することによって、利用環境の制約を受けない通信システムについて説明する。
【００３５】
図１は、物理的な基準点経路を用いずに通信信号伝達経路のみによって通信を行う通信システムの一実施形態に係る構成例を示す図である。
【００３６】
図１において、通信システム１００は、送信装置１１０、受信装置１２０、および通信媒体１３０により構成され、送信装置１１０と受信装置１２０が通信媒体１３０を介して信号を送受信するシステムである。つまり、通信システム１００において、送信装置１１０より送信された信号は、通信媒体１３０を介して伝送され、受信装置１２０により受信される。
【００３７】
送信装置１１０は、送信信号電極１１１、送信基準電極１１２、および送信部１１３を有している。送信信号電極１１１は、通信媒体１３０を介して伝送させる信号を送信するために設けられた電極対の一方の電極であり、その電極対の他方の電極である送信基準電極１１２よりも通信媒体１３０に対して静電結合が強くなるように設けられる。送信部１１３は、送信信号電極１１１と送信基準電極１１２との間に設けられ、これらの電極間に受信装置１２０へ伝達したい電気信号（電位差）を与える。
【００３８】
受信装置１２０は、受信信号電極１２１、受信基準電極１２２、および受信部１２３を有している。受信信号電極１２１は、通信媒体１３０を介して伝送される信号を受信するために設けられた電極対の一方の電極であり、その電極対の他方の電極である受信基準電極１２２よりも通信媒体１３０に対して静電結合が強くなるように設けられる。受信部１２３は、受信信号電極１２１と受信基準電極１２２との間に設けられ、通信媒体１３０を介して伝送される信号によってこれらの電極間に生じた電気信号（電位差）を検知し、その電気信号を所望の電気信号に変換し、送信装置１１０の送信部１１３で生成された電気信号を復元する。
【００３９】
通信媒体１３０は、電気信号を伝達可能な物理的特性を有する物質、例えば、導電体や誘電体等により構成される。例えば、通信媒体１３０は、銅、鉄、またはアルミ等の金属に代表される導電体、純水、ゴム、ガラス等に代表される誘電体、または、これらの複合体である生体や、食塩水等の電解液のように、導体としての性質と誘電体としての性質を併せ持つ素材により構成される。また、この通信媒体１３０の形状はどのようなものであってもよく、例えば、線状、板状、球状、角柱、または円柱等であってもよく、さらにこれら以外の任意の形状であってもよい。
【００４０】
このような通信システム１００において、はじめに、各電極と、通信媒体または装置周辺空間との関係について説明する。なお、以下において、説明の便宜上、通信媒体１３０が完全導体であるものとする。また、送信信号電極１１１と通信媒体１３０との間、および、受信信号電極１２１と通信媒体１３０との間には空間が存在し、電気的な結合はないものとする。すなわち、送信信号電極１１１または受信信号電極１２１と、通信媒体１３０との間には、それぞれ、静電容量が形成される。
【００４１】
また、送信基準電極１１２は送信装置１１０周辺の空間に向くように設けられており、受信基準電極１２２は受信装置１２０周辺の空間に向くように設けられている。一般的に、導体球が空間に存在する場合、その導体球と空間との間には静電容量が形成される。例えば、導体の形状を半径ｒ［ｍ］の球としたとき、その静電容量Ｃは、以下の式（１）のように求められる。
【００４２】
【数１】
2006352699.tif 000003
【００４３】
式（１）において、πは円周率を示す。また、εは誘電率を示し、以下の式（２）のように求められる。
【００４４】
【数２】
2006352699.tif 000004
【００４５】
ただし、式（２）において、ε0は、真空中の誘電率を示し、８．８５４×１０-12［Ｆ／ｍ］である。また、εrは比誘電率を示し、真空の誘電率ε0に対する比率を示す。
【００４６】
上述した式（１）に示されるように半径ｒが大きい程、静電容量Ｃは大きくなる。なお、球以外の複雑な形状の導体の静電容量Ｃの大きさは、上述した式（１）のように、簡単に表現することはできないが、その導体の表面積の大きさに応じて変化することは明らかである。
【００４７】
以上のように、送信基準電極１１２は、送信装置１１０周辺の空間に対して静電容量を形成し、受信基準電極１２２は、受信装置１２０周辺の空間に対して静電容量を形成する。すなわち、送信装置１１０および受信装置１２０の外部の仮想無限遠点からみたとき、送信基準電極１１２や受信基準電極１２２の電位は、静電容量の増加に伴って変動のしにくさも増加することを示している。
【００４８】
次に、通信システム１００における通信の原理について説明する。なお、以下において、説明の便宜上、または前後関係等から、コンデンサを単に静電容量と表現する場合もあるが、これらは同意である。
【００４９】
また、以下において、図１の送信装置１１０と受信装置１２０は、装置間が十分な距離を保つように配置されており、相互の影響を無視できるものとする。また、送信装置１１０において、送信信号電極１１１は通信媒体１３０とのみ静電結合し、送信基準電極１１２は送信信号電極１１１に対して十分な距離が置かれ、相互の影響は無視できる（静電結合しない）ものとする。同様に、受信装置１２０において、受信信号電極１２１は通信媒体１３０とのみ静電結合し、受信基準電極１２２は受信信号電極１２１に対して十分な距離が置かれ、相互の影響は無視できる（静電結合しない）ものとする。さらに、実際には、送信信号電極１１１、受信信号電極１２１、および通信媒体１３０も、空間内に配置されている以上、それぞれ空間に対する静電容量を有することになるが、ここでは、説明の便宜上、それらを無視できるものとする。
【００５０】
図２は、図１の通信システム１００を等価回路で表した図である。通信システム２００は、通信システム１００を等価回路で表したものであり、実質的に通信システム１００と等価である。
【００５１】
すなわち、通信システム２００は、送信装置２１０、受信装置２２０、および接続線２３０を有しているが、この送信装置２１０は図１に示される通信システム１００の送信装置１１０に対応し、受信装置２２０は図１に示される通信システム１００の受信装置１２０に対応し、接続線２３０は図１に示される通信システム１００の通信媒体１３０に対応する。
【００５２】
図２の送信装置２１０において、信号源２１３−１および送信装置内基準点２１３−２は、図１の送信部１１３に対応する。信号源２１３−１は、送信用の信号として、特定周期ω×ｔ［rad］の正弦波を生成する。ここで、ｔ［ｓ］は時間を示す。また、ω［rad/s］は角周波数を示し、以下の式（３）のように表すことができる。
【００５３】
【数３】
2006352699.tif 000005
【００５４】
式（３）において、πは円周率、ｆ［Hz］は信号源２１３−１が生成する信号の周波数を示す。送信装置内基準点２１３−２は、送信装置２１０内における回路のグランドに接続される点である。つまり信号源２１３−１の端子の一方は、送信装置２１０内における回路の、所定の基準電位に設定される。
【００５５】
Cte２１４は、コンデンサであり、図１の送信信号電極１１１と通信媒体１３０との間の静電容量を表すものである。つまり、Cte２１４は、信号源２１３−１の送信装置内基準点２１３−２と反対側の端子と、接続線２３０との間に設けられている。また、Ctg２１５は、コンデンサであり、図１の送信基準電極１１２の空間に対する静電容量を表すものである。Ctg２１５は、信号源２１３−１の送信装置内基準点２１３−２側の端子と、空間上の、送信装置２１０を基準とした無限遠点（仮想点）を示す基準点２１６との間に設けらている。
【００５６】
図２の受信装置２２０において、Rr２２３−１、検出器２２３−２、および受信装置内基準点２２３−３は、図１の受信部１２３に対応する。Rr２２３−１は、受信信号を取り出すための負荷抵抗（受信負荷）である。増幅器により構成される検出器２２３−２は、このRr２２３−１の両側の端子間の電位差を検出して増幅する。受信装置内基準点２２３−３は、受信装置２２０内における回路のグランドに接続される点である。つまりRr２２３−１の端子の一方（検出器２２３−２の入力端子の一方）は、受信装置２２０内における回路の、所定の基準電位に設定される。
【００５７】
なお、検出器２２３−２が、さらに、例えば、検出した変調信号を復調したり、検出された信号に含まれる符号化された情報を復号したりする等、その他の機能を備えるようにしてもよい。
【００５８】
Cre２２４は、コンデンサであり、図１の受信信号電極１２１と通信媒体１３０との間の静電容量を表すものである。つまり、Cre２２４は、Rr２２３−１の受信装置内基準点２２３−３と反対側の端子と、接続線２３０との間に設けられている。また、Crg２２５は、コンデンサであり、図１の受信基準電極１２２の空間に対する静電容量を表すものである。Crg２２５は、Rr２２３−１の受信装置内基準点２２３−３側の端子と、空間上の、受信装置１２０を基準とした無限遠点（仮想点）を示す基準点２２６との間に設けらている。
【００５９】
接続線２３０は、完全導体である通信媒体１３０を表している。なお、図２の通信システム２００において、Ctg２１５とCrg２２５は、等価回路上、基準点２１６と基準点２２６を介して、互いに電気的に接続されているように表現されているが、実際には、これらは互いに電気的に接続されている必要はなく、それぞれが、送信装置２１０または受信装置２２０周辺の空間に対して静電容量を形成していればよい。導体があれば、周囲の空間に対して、必ずその表面積の大きさに比例した静電容量が形成されることが重要である。なお、基準点２１６と基準点２２６が電気的に接続されている必要はなく、互いに独立であってもよい。
【００６０】
また、図１の通信媒体１３０が完全導体である場合、接続線２３０の導電率は無限大とみなせるので、図２の接続線２３０の長さは通信に影響しない。なお、通信媒体１３０が導電率の十分な導体であれば、実用上、送信装置と受信装置間との距離は通信の安定性に影響しない。従って、このような場合、送信装置２１０と受信装置２２０との距離はどんなに長くてもよい。
【００６１】
通信システム２００において、信号源２１３−１、Rr２２３−１、Cte２１４、Ctg２１５、Cre２２４、およびCrg２２５から成る回路が形成されている。直列接続された四つのコンデンサ（Cte２１４、Ctg２１５、Creコンデンサ２２４、およびCrg２２５）の合成容量Ｃxは以下の式（４）で表すことができる。
【００６２】
【数４】
2006352699.tif 000006
【００６３】
また、信号源２１３−１が生成する正弦波ｖt（ｔ）を、以下の式（５）のように表す。
【００６４】
【数５】
2006352699.tif 000007
【００６５】
ここで、Ｖm［Ｖ］は信号源電圧の最大振幅電圧を表しており、θ［rad］は初期位相角を表している。このとき、信号源２１３−１による電圧の実効値Ｖtrms［Ｖ］は以下の式（６）のように求めることができる。
【００６６】
【数６】
2006352699.tif 000008
【００６７】
回路全体での合成インピーダンスＺは、次の式（７）のように求めることができる。
【００６８】
【数７】
2006352699.tif 000009
【００６９】
つまり、Rr２２３−１の両端に生じる電圧の実効値Ｖrrmsは式（８）のように求めることができる。
【００７０】
【数８】
2006352699.tif 000010
【００７１】
従って、式（８）に示されるように、Rr２２３−１の抵抗値が大きい程、また、静電容量Ｃxが大きく、信号源２１３−１の周波数ｆ［Hz］が高い程、１/((２×π×ｆ×Ｃx)2)の項が小さくなり、Rr２２３−１の両端に、より大きな信号を生じさせることができる。
【００７２】
例えば、送信装置２１０の信号源２１３−１による電圧の実効値Ｖtrmsを２［Ｖ］に固定し、信号源２１３−１が生成する信号の周波数ｆを１［MHz］、１０［MHz］、または１００［MHz］とし、Rr２２３−１の抵抗値を１０Ｋ［Ω］、１００Ｋ［Ω］、または１Ｍ［Ω］とし、回路全体の静電容量Ｃxを０．１［ｐＦ］、１［ｐＦ］、または１０［ｐＦ］としたときの、Rr２２３−１の両端に生じる電圧の実効値Ｖrrmsの計算結果は図３に示される表２５０のようになる。
【００７３】
表２５０に示されるように、電圧の実効値Ｖrrmsの計算結果は、その他の条件が同じ場合、周波数ｆが１［MHz］のときよりも１０［MHz］のときの方が大きくなり、受信負荷であるRｒ２２３−１の抵抗値が１０Ｋ［Ω］のときよりも１Ｍ［Ω］の時のほうが大きくなり、静電容量Ｃxが０．１［ｐＦ］のときよりも１０［ｐＦ］の時のほうが大きな値をとる。すなわち、周波数ｆの値、Rr２２３−１の抵抗値、および静電容量Ｃxが大きいほど、大きな電圧の実効値Ｖrrms得られる。
【００７４】
また、表２５０より、ピコファラド以下の静電容量でも、Rr２２３−１には電気信号が発生することが分かる。すなわち、伝送される信号の信号レベルが微小な場合、受信装置２２０の検出器２２３−２によって検出した信号を増幅する等すれば、通信が可能となる。
【００７５】
次に、以上に示した等価回路の通信システム２００の各パラメータの算出例を、図４を参照して具体的に説明する。図４は、通信システム１００の物理的な構成による影響も含めて演算例を説明するための図である。
【００７６】
図４に示される通信システム３００は、図１の通信システム１００に対応するシステムであり、図２の通信システム２００に通信システム１００の物理的な構成に関する情報を付加したものである。つまり、通信システム３００は、送信装置３１０、受信装置３２０、および通信媒体３３０を有している。図１の通信システム１００と対比して説明すると、送信装置３１０は送信装置１１０に対応し、受信装置３２０は受信装置１２０に対応し、通信媒体３３０は、通信媒体１３０に対応する。
【００７７】
送信装置３１０は、送信信号電極１１１に対応する送信信号電極３１１、送信基準電極１１２に対応する送信基準電極３１２、および送信部１１３に対応する信号源３１３−１を有している。つまり、信号源３１３−１の両側の端子の一方に送信信号電極３１１が接続され、他方に送信基準電極３１２が接続されている。送信信号電極３１１は、通信媒体３３０に近接するように設けられている。送信基準電極３１２は、通信媒体３３０に影響されない程度に通信媒体３３０から離されて設けられており、送信装置３１０の外部の空間に対して静電容量を有するように構成されている。なお、図２においては、送信部１１３には、信号源２１３−１および送信装置内基準点２１３−２が対応するように説明したが、図４の場合、説明の便宜上、この送信装置内基準点は省略している。
【００７８】
受信装置３２０も、送信装置３１０の場合と同様に、受信信号電極１２１に対応する受信信号電極３２１、受信基準電極１２２に対応する受信基準電極３２２、および受信部１２３に対応するRr３２３−１および検出器３２３−２を有している。つまり、Rr３２３−１の両側の端子の一方に受信信号電極３２１が接続され、他方に受信基準電極３２２が接続されている。受信信号電極３２１は、通信媒体３３０に近接するように設けられている。受信基準電極３２２は、通信媒体３３０に影響されない程度に通信媒体３３０から離されて設けられており、受信装置３２０の外部の空間に対して静電容量を有するように構成されている。なお、図２において受信部１２３には、Rr２２３−１、検出器２２３−２、および受信装置内基準点２２３−３が対応するように説明したが、図４の場合、説明の便宜上、この受信装置内基準点は省略している。
【００７９】
なお、通信媒体３３０は、図１や図２の場合と同様に完全導体であるものとする。送信装置３１０と受信装置３２０は、互いに十分な距離をおいて配置されており、相互の影響は無視できるものとする。また、送信信号電極３１１は通信媒体３３０とのみ静電結合している。また、送信基準電極３１２は送信信号電極３１１に対して十分な距離をおいて配置されており、相互の影響は無視できるものとする。同様に、受信信号電極３２１は通信媒体３３０とのみ静電結合している。また、受信基準電極３２２は受信信号電極３２１に対して十分な距離をおいて配置されており、相互の影響は無視できるものとする。なお厳密には、送信信号電極３１１、受信信号電極３２１、および通信媒体３３０は、空間に対する静電容量を有するが、ここでは、説明の便宜上、これらについて無視できるものとする。
【００８０】
図４に示されるように、通信システム３００において、通信媒体３３０の一方の端に送信装置３１０が配置され、もう一方の端に受信装置３２０が配置されている。
【００８１】
送信信号電極３１１と通信媒体３３０の間には距離dte［ｍ］の間隔があるものとする。また、送信信号電極３１１が、片面の表面積がSte［ｍ2］である導体円板とすると、通信媒体３３０との間で形成される静電容量Cte３１４は次の式（９）のように求めることが出来る。
【００８２】
【数９】
2006352699.tif 000011
【００８３】
式（９）は、一般に平行平板の静電容量として知られている算出式である。上式で、εは誘電率を示すが、いま、通信システム３００は空気中に置かれているものとすると、比誘電率εrはほぼ１とみなせるので、誘電率εは、真空における誘電率ε0と等価とみなすことができる。送信信号電極３１１の表面積Steを２×１０-3［ｍ2］（直径約５［cm］）とし、間隔dteを５×１０-3［ｍ］（５［mm］）として、静電容量Cte３１４を求めると、以下の式（１０）のようになる。
【００８４】
【数１０】
2006352699.tif 000012
【００８５】
なお、実際の物理現象として上述した式（９）が厳密に成立するのは、Ｓｔｅ＞＞ｄｔｅの関係を満足している場合であるが、ここでは、式（９）で近似できるものとする。
【００８６】
次に、送信基準電極３１２と空間から成る静電容量（送信基準電極３１２と、送信基準電極３１２からの仮想的な無限遠点を示す基準点３１６との間の静電容量）Ctg３１５について説明する。一般に、半径ｒ［ｍ］の円板が空間に置かれていた場合、その円板と空間との間に形成される静電容量Ｃ［Ｆ］は次の式（１１）で求めることができる。
【００８７】
【数１１】
2006352699.tif 000013
【００８８】
送信基準電極３１２が半径rtg＝２．５×１０-2［ｍ］（半径２．５［ｃｍ］）の導体円板であるとすると、送信基準電極３１７と空間から成る静電容量Ctg３１５は、上述した式（１１）を用いて、次の式（１２）のように求められる。なお、通信システム３００は空気中に置かれ、その空間の誘電率は真空の誘電率ε0で近似できるものとする。
【００８９】
【数１２】
2006352699.tif 000014
【００９０】
受信信号電極３２１の大きさを送信信号電極３１１と同じ（Sre［ｍ2］＝Ste［ｍ2］の導体円板）とし、通信媒体３３０との間隔も同じ（dre［ｍ］＝dte［ｍ］）とすれば、受信信号電極３２１と通信媒体３３０から成る静電容量Cre３２４は、送信側と同じく３．５［ｐＦ］となる。また、受信基準電極３２２の大きさを送信基準電極３１２と同じ（半径rrg［ｍ］＝rtg［ｍ］の導体円板）とすれば、受信基準電極３２２と空間から成る静電容量（受信基準電極３２２と、受信基準電極３２２からの仮想的な無限遠点を示す基準点３２６との間の静電容量）Crg３２５は、送信側と同じく１．８［ｐＦ］となる。以上から、Cte３１４、Ctg３１５、Cre３２４、およびCrg３２５の四つの静電容量から成る合成静電容量Ｃxは上述した式（４）を用いて次の式（１３）のように求めることができる。
【００９１】
【数１３】
2006352699.tif 000015
【００９２】
信号源３１３−１の周波数ｆを１［MHz］とし、電圧の実効値Ｖtrmsを２［Ｖ］とし、Rr３２３−１を１００Ｋ［Ω］とすると、Rr３２３−１の両端に生じる電圧Ｖrrmsは、以下の式（１４）のように求めることができる。
【００９３】
【数１４】
2006352699.tif 000016
【００９４】
以上の結果から、基本原理として、空間と成す静電容量を利用することによって、送信装置から受信装置への信号の受け渡しが可能である。
【００９５】
以上において説明した送信基準電極や受信基準電極の空間に対する静電容量は、各電極の位置に空間が存在すれば形成可能である。従って、上述した送信装置および受信装置は、通信媒体によって送信信号電極と受信信号電極が結合されていれば、互いの距離に依存せずに通信の安定性を得ることができる。
【００９６】
次に、実際に本通信システムを物理的に構成する場合について説明する。図５は、以上において説明した通信システムの、実際に物理的に構成する場合における、システム上に発生する各パラメータの演算用モデルの例を示す図である。
【００９７】
つまり、通信システム４００は、送信装置４１０、受信装置４２０、および通信媒体４３０を有しており、上述した通信システム１００（通信システム２００および通信システム３００）に対応するシステムであり、評価するパラメータが異なるだけで、その構成は、通信システム１００乃至通信システム３００と基本的に同様である。
【００９８】
つまり、通信システム３００と対比して説明すると、送信装置４１０は送信装置３１０に対応し、送信装置４１０の送信信号電極４１１は送信信号電極３１１に対応し、送信基準電極４１２は送信基準電極３１２に対応し、信号源４３１−１は信号源３３１−１に対応する。また、受信装置４２０は受信装置３２０に対応し、受信装置４２０の受信信号電極４２１は受信信号電極３２１に対応し、受信基準電極４２２は受信基準電極３２２に対応し、Rr４２３−１はRr３２３−１に対応し、検出器４２３−２は検出器３２３−２に対応する。さらに、通信媒体４３０は通信媒体３３０に対応する。
【００９９】
また、パラメータについて説明すると、送信信号電極４１１と通信媒体４３０との間の静電容量Cte４１４は通信システム３００のCte３１４に対応し、送信基準電極４１２の空間に対する静電容量Ctg４１５は通信システム３００のCtg３１５に対応し、送信装置４１０からの空間上の仮想的な無限遠点を示す基準点４１６−１および基準点４１６−２は通信システム３００の基準点３１６に対応する。また、送信信号電極４１１は、面積Ste［ｍ2］の円板状の電極であり、通信媒体４３０から微小距離dte［ｍ］だけ離れた位置に設けられる。送信基準電極４１２も円板状の電極であり、その半径は、rtg［ｍ］である。
【０１００】
受信装置４２０側では、受信信号電極４２１と通信媒体４３０との間の静電容量Cre４２４は通信システム３００のCre３２４に対応し、受信基準電極４２２の空間に対する静電容量Crg４２５は通信システム３００のCrg３２５に対応し、受信装置４２０からの空間上の仮想的な無限遠点を示す基準点４２６−１および基準点４２６−２は通信システム３００の基準点３２６に対応する。また、受信信号電極４２１は、面積Sre［ｍ2］の円板状の電極であり、通信媒体４３０から微小距離dre［ｍ］だけ離れた位置に設けられる。受信基準電極４２２も円板状の電極であり、その半径は、rrg［ｍ］である。
【０１０１】
図５の通信システム４００は、以上のパラメータに加えて、以下のような新たなパラメータが追加されたモデルである。
【０１０２】
例えば、送信装置４１０については、送信信号電極４１１と送信基準電極４１２との間に形成される静電容量Ctb４１７−１、送信信号電極４１１と空間との間に形成される静電容量Cth４１７−２、および、送信基準電極４１２と通信媒体４３０との間に形成される静電容量Cti４１７−３が新たなパラメータとして追加されている。
【０１０３】
また、受信装置４２０については、受信信号電極４２１と受信基準電極４２２との間に形成される静電容量Crb４２７−１、受信信号電極４２１と空間との間に形成される静電容量Crh４２７−２、および、受信基準電極４２２と通信媒体４３０との間に形成される静電容量Cri４２７−３が新たなパラメータとして追加されている。
【０１０４】
さらに、通信媒体４３０については、通信媒体４３０と空間との間に形成される静電容量（通信媒体４３０と、通信媒体４３０からの仮想的な無限遠点を示す基準点４３６との間の静電容量）Cm４３２が新たなパラメータとして追加されている。また、実際には、通信媒体４３０は、その大きさや材質等によって電気抵抗を有するので、その抵抗成分として抵抗値Rm４３１およびRm４３３が新たなパラメータとして追加されている。
【０１０５】
なお、図５の通信システム４００においては省略されているが、通信媒体が導電性だけでなく、誘電性を有する場合には、その誘電率に従った静電容量も併せて形成される。また、通信媒体に導電性がなく、誘電性のみで形成される場合には、送信信号電極４１１と受信信号電極４２１の間に、誘電体の誘電率、距離、大きさ、配置で決まる静電容量で結合されることになる。
【０１０６】
また、ここでは、送信装置４１０と受信装置４２０が、互いに静電結合的な要素が無視できる程度に距離が離れている場合（送信装置４１０と受信装置４２０との間の静電結合の影響を無視することができる場合）を想定している。仮に、距離が近い場合には、上述した考え方に従い、送信装置４１０内の各電極と受信装置４２０内の各電極の位置関係によっては、それら電極同士の静電容量も考慮する必要が生じることもある。
【０１０７】
次に、図５の通信システム４００の動作を、電気力線を用いて説明する。通信システム４００の送信装置４１０の、電極同士、または電極と通信媒体４３０との関係を、電気力線を用いて表現した模式図を図６および図７に示す。
【０１０８】
図６は、通信システム４００の送信装置４１０について、通信媒体４３０が存在しない場合の電気力線の分布の例を示す模式図である。いま、送信信号電極４１１は正の電荷を有し（正に帯電し）、送信基準電極４１２は負の電荷を有している（負に帯電している）ものとする。図中の矢印は電気力線を示し、その方向は、正の電荷から負の電荷へ向いている。電気力線は、途中で突然消滅することはなく、異符号の電荷を持つ物体に到達するか、仮想無限遠点に到達するかのいずれかの性質を持つ。
【０１０９】
ここで、電気力線４５１は、送信信号電極４１１から放出された電気力線のうち無限遠点に到達しているものを示す。電気力線４５２は、送信基準電極４１２に向かっている電気力線のうち仮想無限遠点より到達しているものを示す。電気力線４５３は、送信信号電極４１１と送信基準電極４１２との間で生じている電気力線を示す。これらの電気力線の分布は、各電極の大きさや位置関係によって影響を受ける。
【０１１０】
図７は、このような送信装置４１０に通信媒体４３０を近づけた場合の電気力線の分布の例を示す模式図である。送信信号電極４１１に通信媒体４３０が近づいたため、両者間の結合が強まり、図６で無限遠点に到達していた電気力線４５１の多くが、通信媒体４３０に到達する電気力線４６１となり、無限遠点への電気力線４６３（図６における電気力線４５１）は減少する。これに伴って、通信信号電極４１１からみたときの無限遠点に対する静電容量（図５のCth４１７−２）は弱まり、通信媒体４３０との間の静電容量（図５のCte４１４）が増す。なお、実際には、送信基準電極４１２と、通信媒体４３０間の静電結合（図５のCti４１７−３）も存在するが、ここでは無視出来るものとする。
【０１１１】
ガウスの法則によれば、任意の閉曲面Ｓを通って出て行く電気力線の数Ｎ［本］は、その閉曲面Ｓ内に含まれる全電荷を誘電率εで割ったものに等しく、閉曲面Ｓの外にある電荷には影響を受けない。いま閉曲面Ｓにｎ個の電荷が存在するとき、次式が成立する。
【０１１２】
【数１５】
2006352699.tif 000017
【０１１３】
ここで、ｉは整数とする。変数ｑiは個々の電荷の電荷量を示す。この法則は、閉曲面Ｓから湧き出す電気力線は、この閉曲面Ｓ内に存在する電荷から発せられる電気力線のみで決まり、外側から入ってくる電気力線の全ては、別の場所から出て行くことを示している。
【０１１４】
この法則に従えば、図７において、通信媒体４３０が接地されていないものとすると、この通信媒体４３０近傍の閉曲面４７１には電荷の発生源は存在しないから、電気力線４６１近傍の通信媒体の領域４７２では、静電誘導により電荷Ｑ３が誘起される。通信媒体４３０は接地されていないため、通信媒体４３０が持つ総電荷量は変わらないから、電荷Ｑ３が誘起された領域４７２の外の領域４７３では、電荷Ｑ３と等量で異符号の電荷Ｑ４が誘起され、これによって生じる電気力線４６４が閉曲面４７１から出て行くことになる。電荷Ｑ４は通信媒体が大きい程、より拡散することになり、電荷密度も減少するから、これに伴って単位面積当たりの電気力線の本数も減少する。
【０１１５】
通信媒体４３０が完全導体である場合、完全導体の性質から、部位によらず電位が同一になる特性上、部位によらず電荷密度もほぼ等しくなる性質がある。通信媒体４３０が抵抗分を持った導電体である場合には、その抵抗分に応じ、距離に応じて電気力線の数も減少する。また通信媒体４３０が導電性を持たない誘電体である場合には、その分極作用により、電気力線は拡散され、伝播される。いま空間にｎ個の導電体が存在しているとき、各導電体の電荷Ｑiは、次式で求めることが出来る。
【０１１６】
【数１６】
2006352699.tif 000018
【０１１７】
ここで、ｉ、ｊは整数であり、Ｃijは導電体ｉと導電体ｊから成る容量係数を示し、静電容量と同じ性質と考えてよい。容量係数は、導電体の形状とそれらの位置関係からのみ決まる。容量係数Ｃiiは、導電体ｉ自身が空間に対して形成する静電容量となる。また、Ｃij＝Ｃjiである。式（１６）においては、複数の導電体から成る系が重ねの理に基づいて動作することが示されており、導電体間の静電容量と各導電体の電位との積の総和によって該当する導電体の電荷が定まることが示されている。
【０１１８】
いま、図７と式（１６）において互いに関連する各パラメータを以下のように定める。例えば、Ｑ１は、送信信号電極４１１に誘起される電荷を示し、Ｑ２は、送信基準電極４１２に誘起される電荷を示し、Ｑ３は、送信信号電極４１１によって通信媒体４３０に誘起される電荷を示し、Ｑ４は、通信媒体４３０上の、電荷Ｑ３と異符号等量の電荷を示しているものとする。
【０１１９】
また、Ｖ１が送信信号電極４１１の、無限遠点を基準としたときの電位を示し、Ｖ２が送信基準電極４１２の、無限遠点を基準としたときの電位を示し、Ｖ３が通信媒体４３０の、無限遠点を基準としたときの電位を示し、Ｃ１２が送信信号電極４１１と送信基準電極４１２間の容量係数を示し、Ｃ１３が送信信号電極４１１と通信媒体４３０間の容量係数を示し、Ｃ１５が送信信号電極４１１と空間の容量係数を示し、Ｃ２５が送信信号電極４１１と空間の容量係数を示し、さらにＣ４５が通信媒体４３０と空間の容量係数を示しているものとする。
【０１２０】
このとき電荷Ｑ３は次式のように求めることができる。
【０１２１】
【数１７】
2006352699.tif 000019
【０１２２】
通信媒体４３０により多くの電界を注入するためには、電荷Ｑ３を大きくすればよいが、そのためには、送信信号電極４１１と通信媒体４３０間の容量係数Ｃ１３を高め、且つ、十分な電位Ｖ１を与えればよい。容量係数Ｃ１３は、形状と位置関係のみで決まるが、相互間の距離が近く、対向面積が大きい程、静電容量が高まる。次に、電位Ｖ１であるが、この電位は無限遠点からみたとき十分な電位が生じている必要がある。送信装置４１０からみると信号源によって、送信信号電極４１１と送信基準電極４１２の間に電位差が与えられているが、この電位差が無限遠点からみたときにも十分な電位差として生じるためには、送信基準電極４１２の振る舞いが重要になる。
【０１２３】
仮に送信基準電極４１２が微小で、送信信号電極４１１が十分な大きさであるとすると、容量係数Ｃ１２及びＣ２５が小さくなる。一方で、容量係数Ｃ１３、Ｃ１５、Ｃ４５は大きな静電容量を持つから、電気的により変動しにくくなり、信号源で発生させている電位差のほとんどは、送信基準電極４１２の電位Ｖ２として現れ、送信信号電極４１１の電位Ｖ１は小さくなってしまう。
【０１２４】
この様子を図８に示す。送信基準電極４８１は微小なため、どの導電体や無限遠点とも結合しない。送信信号電極４１１は、通信媒体４３０との間で静電容量Cteを形成するとともに、空間に対して静電容量Cth４１７−２を形成する。また、通信媒体４３０は空間に対して静電容量Cm４３２を形成する。送信信号電極４１１と送信基準電極４１２に電位が生じても、送信信号電極４１１に関わる静電容量Cte４１４、Cth４１７−２、およびCm４３２が圧倒的に大きいため、この電位を変動させるためには、大きなエネルギーが必要となるが、信号源４１３−１の対向側の送信基準電極４８１の静電容量が弱いため、送信信号電極４１１の電位はほとんど変化せず、信号源４１３−１の電位変動のほとんどは、送信基準電極４８１側に現れることになる。
【０１２５】
逆に、送信信号電極４１１が微小で、送信基準電極４８１が十分な大きさであるとすると、送信基準電極４８１の静電容量が高まって、電気的に変動しにくくなり、送信信号電極４１１に十分な電位Ｖ１は生じるが、通信媒体４３０との静電結合が弱まるため、十分な電界を注入できない。
【０１２６】
従って、全体のバランスの中で、通信に必要な電界を送信信号電極から通信媒体に注入しながらも、十分な電位を与えることが出来るだけの送信基準電極を設ける必要がある。
ここでは、送信側のみを考えたが、図５における受信装置４２０の電極と通信媒体４３０の間に関しても同様に考えることが出来る。
【０１２７】
無限遠点は、物理的に遠距離でなければならないものではなく、実用上は装置周辺の空間を考えればよいが、より理想としては、システム全体の系の中で、より安定して電位変動が少ないことが望ましい。実際の利用環境下では、ＡＣ電源ラインや照明器具、その他電気機器等から発生するノイズが存在するが、少なくとも信号源が利用する周波数帯域にこれらのノイズが重ならないか、無視出来るレベルであればよい。
【０１２８】
図９は、図５に示されるモデル（通信システム４００）を等価回路で示した図である。つまり、図２と図４の関係のように、図９に示される通信システム５００は図５に示される通信システム４００に対応し、通信システム５００の送信装置５１０は通信システム４００の送信装置４１０に対応し、通信システム５００の受信装置５２０は通信システム４００の受信装置４２０に対応し、通信システム５００の接続線５３０は通信システム４００の通信媒体４３０に対応する。
【０１２９】
同様に、図９の送信装置５１０において、信号源５１３−１は信号源４１３−１に対応する。なお、図９の送信装置５１０においては、図５において省略された、図２の送信装置内基準点２１３−２に対応する、図１の送信部１１３内部の回路におけるグランドを示す送信装置内基準点５１３−２が示されている。
【０１３０】
また、図９のCte５１４は、図５のCte４１４に対応する静電容量であり、Ctg５１５は、図５のCtg４１５に対応する静電容量であり、基準点５１６−１および基準点５１６−２は、それぞれ、基準点４１６−１および基準点４１６−２に対応する。さらにCtb５１７−１はCtb４１７−１に、Cth５１７−２はCth４１７−２に、Cti５１７−３はCti４１７−３にそれぞれ対応する静電容量である。
【０１３１】
受信装置５２０の各部も同様であり、受信抵抗であるRr５２３−１および検出器５２３−２は、それぞれ、図５のRr４２３−１および検出器４２３−２に対応する。なお、図９の受信装置５２０においては、図５において省略された、図２の受信装置内基準点２２３−３に対応する、図１の受信部１２３内部の回路におけるグランドを示す受信装置内基準点５２３−３が示されている。
【０１３２】
また、図９のCre５２４は、図５のCre４２４に対応する静電容量であり、Crg５２５は、図５のCrg４２５に対応する静電容量であり、基準点５２６−１および基準点５２６−２は、それぞれ、基準点４２６−１および基準点４２６−２に対応する。さらにCrb５２７−１はCrb４２７−１に、Crh５２７−２はCrh４２７−２に、Cri５２７−３はCri４２７−３にそれぞれ対応する静電容量である。
【０１３３】
接続線５３０に接続される各部も同様であり、接続線の抵抗成分であるRm５３１とRm５３３は、それぞれ、Rm４３１とRm４３３に対応し、Cm５３２はCm４３２に対応し、基準点５３６は、基準点４３６に対応する。
【０１３４】
このような通信システム５００は、以下のような性質を有する。
【０１３５】
例えば、送信装置５１０は、Cte５１４の値が大きい（容量が高い）程、通信媒体４３０に対応する接続線５３０へ大きな信号を印加することができる。また、送信装置５１０は、Ctg５１５の値が大きい（容量が高い）程、接続線５３０へ大きな信号を印加することができる。さらに、送信装置５１０は、Ctb５１７−１の値が小さい（容量が低い）程、接続線５３０へ大きな信号を印加することが出来る。また、送信装置５１０は、Cth５１７−２の値が小さい（容量が低い）程、接続線５３０へ大きな信号を印加することが出来る。さらに、送信装置５１０は、Cti５１７−３の値が小さい（容量が低い）程、接続線５３０へ大きな信号を印加することが出来る。
【０１３６】
受信装置５２０は、Cre５２４の値が大きい（容量が高い）程、通信媒体４３０に対応する接続線５３０から大きな信号を取り出すことが出来る。また、受信装置５２０は、Crg５２５の値が大きい（容量が高い）程、接続線５３０から大きな信号を取り出すことが出来る。さらに、受信装置５２０は、Crb５２７−１の値が小さい（容量が低い）程、接続線５３０から大きな信号を取り出すことが出来る。また、受信装置５２０は、Crh５２７−２の値が小さい（容量が低い）程、接続線５３０から大きな信号を取り出すことが出来る。さらに、受信装置５２０は、Cri５２７−３の値が小さい（容量が低い）程、接続線５３０から大きな信号を取り出すことが出来る。また、受信装置５２０は、Rr５２３−１の値が低い（抵抗が高い）程、接続線５３０から大きな信号を取り出すことが出来る。
【０１３７】
接続線５３０の抵抗成分であるRm５３１およびRm５３３の値が低い（抵抗が低い）程、送信装置５１０は、接続線５３０へ大きな信号を印加することが出来る。また、接続線５３０の空間に対する静電容量であるCm５３２の値が小さい（容量が低い）程、送信装置５１０は、接続線５３０へ大きな信号を印加することが出来る。
【０１３８】
コンデンサ容量の大小は、電極の表面積の大きさに略比例するから、一般には各電極の大きさが大きい程よいが、単純に電極の大きさを大きくすると、電極同士の間の静電容量も増加してしまう恐れもある。また、電極の大きさ比が極端な場合も効率が低下する恐れがある。従って、電極の大きさやその配置場所等は、全体のバランスの中で決定する必要がある。
【０１３９】
なお、上述した通信装置５００の性質は、信号源５１３−１の周波数が高い周波数帯域では、インピーダンス・マッチングの考え方で本等価回路を捉え、各パラメータを決定することで効率的な通信が可能となる。周波数を高めることにより、小さい静電容量でもリアクタンスが確保できるため、各装置を容易に小型化することができる。
【０１４０】
また、一般的にコンデンサのリアクタンスは周波数の減少とともに上昇する。これに対して、通信システム５００は静電容量結合に基づく動作をするので、信号源５１３−１が生成する信号の周波数の下限は、これによって決定される。また、Rm５３１、Cm５３２、およびRm５３３は、その配置から低域通過フィルタを形成することになるので、この特性により周波数の上限が定まる。
【０１４１】
つまり、通信システム５００の周波数特性は、図１０に示されるグラフの曲線５５１のようになる。図１０において、横軸は周波数を、縦軸は系全体の利得を示している。
【０１４２】
次に、図５の通信システム４００、および図９の通信システム５００の各パラメータの具体的な数値を検討する。なお、以下において、説明の便宜上、通信システム４００（通信システム５００）は空気中に設置されているものとする。また、通信システム４００の送信信号電極４１１、送信基準電極４１２、受信信号電極４２１、および受信基準電極４２２（通信システム５００の送信信号電極５１１、送信基準電極５１２、受信信号電極５２１、および受信基準電極５２２）は、いずれも、直径５ｃｍの導体円板とする。
【０１４３】
図５の通信システム４００において、送信信号電極４１１と通信媒体４３０からなる静電容量Cte４１４（図９のCte５１４）は、互いの間隔ｄteが５ｍｍとすると、その値は、上述した式（９）を用いて、以下の式（１８）ように求められる。
【０１４４】
【数１８】
2006352699.tif 000020
【０１４５】
電極間の静電容量であるCtb４１７−１（図９のCtb５１７−１）については、式（９）を適応することができるものとする。本来は上述したように電極の面積が間隔に比べて十分に大きい場合に成立する式であるが、ここでは、これで近似できるとして差し支えない。電極間の間隔を５ｃｍとすると、Ctb４１７−１（図９のCtb５１７−１）は以下の式（１９）ようになる。
【０１４６】
【数１９】
2006352699.tif 000021
【０１４７】
ここでの想定は、送信信号電極４１１と通信媒体４３０の間隔が狭いとすれば、空間との結合は弱くなるので、Cth４１７−２（図９のCht５１７−２）の値は、Cte４１４（Cte５１４）の値よりも十分小さく、式（２０）のようにCte４１４（Cte５１４）の値の十分の一に設定されるものとする。
【０１４８】
【数２０】
2006352699.tif 000022
【０１４９】
送信基準電極４１２と空間で形成される静電容量を示すCtg４１５（図９のCtg５１５）は図４の場合（式（１２））と同様であり、次式（２１）のように求めることができる。
【０１５０】
【数２１】
2006352699.tif 000023
【０１５１】
Cti４１７−３（図９のCti５１７−３）の値は、以下のように、Ctb４１７−１（図９のCtb５１７−１）と同等と考える。
【０１５２】
Cti＝Ctb＝０．３５［ｐＦ］
【０１５３】
受信装置４２０（図９の受信装置５２０）の各パラメータに関しても、各電極の構成（大きさや設置位置等）を送信装置４１０の場合と同様にすれば、以下のように、送信装置４１０の各パラメータと同様に設定される。
【０１５４】
Cre＝Cte＝３．５［ｐＦ］
Crb＝Ctb＝０．３５［ｐＦ］
Crh＝Cth＝０．３５［ｐＦ］
Crg＝Ctg＝１．８［ｐＦ］
Cri＝Cti＝０．３５［ｐＦ］
【０１５５】
また、説明の便宜上、以下において、通信媒体４３０（図９の接続線５３０）は人体のサイズ程度の生体に近い特性を有する物体であるとする。そして、通信媒体４３０の送信信号電極４１１の位置から受信信号電極４２１の位置（図９の送信信号電極５１１の位置から受信信号電極５２１の位置）までの電気抵抗が１Ｍ［Ω］であるとし、Rm４３１およびRm４３３（図９のRm５３１およびRm５３３）の値をそれぞれ５００Ｋ［Ω］とする。また、通信媒体４３０と空間との間で形成する静電容量Cm４３２（図９のCm５３２）の値を１００［ｐＦ］とする。
【０１５６】
さらに、信号源４１３−１（図９の信号源５１３−１）は、最大値１［Ｖ］で周波数が１０Ｍ［Ｈｚ］の正弦波とする。
【０１５７】
以上のパラメータを使ってシミュレーションを行うと、図１１に示されるような波形の受信信号がシミュレーション結果として得られる。図１１に示されるグラフは、縦軸が、受信装置４２０（図９の受信装置５２０）の受信負荷であるRr４２３−１（Rr５２３−１）の両端電圧を表し、横軸が時間を表している。図１１の両矢印５５２により示されるように、受信信号の波形の最大値Ａと最小値Ｂとの差（ピーク値の差）が約１０［μＶ］程度で観測される。従って、これを十分なゲインを持つ増幅器（検出器４２３−２）で増幅することによって、送信側の信号（信号源４１３−１において生成された信号）を受信側で復元することができる。
【０１５８】
このように、以上において説明した、本発明を適用した通信システムは、物理的な基準点経路を不要とし、通信信号伝達経路のみによる通信を実現することができるので、利用環境の制約を受けない通信環境を容易に提供することができる。
【０１５９】
次に、各装置における各電極の配置について説明する。上述したように、各電極は、互いに異なる役目を担っており、通信媒体や空間等に対して静電容量を形成する。つまり、各電極はそれぞれ互いに異なる相手と静電結合し、その静電結合を用いて作用する。従って、各電極の配置方法は、そのように各電極を目的の対象物に有効に静電結合させるために非常に重要な要因となる。
【０１６０】
例えば、図５の通信システム４００において、送信装置４１０と受信装置４２０の間において効率よく通信を行うためには、以下の条件のように各電極を配置する必要がある。すなわち、各装置は、例えば、送信信号電極４１１と通信媒体４３０の間の静電容量、並びに、受信信号電極４２１と通信媒体４２２の間の静電容量の大きさがともに十分であること、送信基準電極４１２と空間の静電容量、並びに、受信基準電極４２２と空間の静電容量の大きさがともに十分であること、送信信号電極４１１と送信基準電極４１２の間、並びに、受信信号電極４２１と受信基準電極４２２の間の静電容量の大きさがより小さいこと、そして、送信信号電極４１１と空間の静電容量、並びに、受信信号電極４２１と空間の静電容量の大きさがより小さいことを満たす。必要がある。
【０１６１】
各電極の配置例を図１２乃至図１８に示す。なお、以下に説明する電極配置の例は、送信装置および受信装置のいずれにも適用することができる。従って、以下においては、受信装置についての説明を省略し、送信装置についてのみ説明する。なお、以下に示す例を受信装置に適用する場合、送信信号電極を受信信号電極に対応させ、送信基準電極を受信信号電極に対応させる。
【０１６２】
図１２において、送信信号電極５５４と送信基準電極５５５の二つの電極は、筐体５５３の同一平面上に配置されている。この構成によれば、二つの電極（送信信号電極５５４と送信基準電極５５５）が互いに対向するように配置された場合と比較して、電極間の静電容量を小さくすることが出来る。このような構成の送信装置を用いる場合、二つの電極のうち、一方の電極のみを通信媒体に近づけるようにする。例えば、筐体５５３が二つのユニットとヒンジ部により構成され、その二つのユニットの相対的な角度が可変となるように、ヒンジ部を介して接続され、筐体５５３の全体で見た場合、そのヒンジ部によって、筐体５５３がその長手方向中央付近において折りたたむことができるようになされた折り畳み型携帯型電話機であるとする。このような折り畳み型携帯型電話機に対して、図１２に示されるような電極配置を応用することにより、一方の電極は操作ボタン側のユニット背面に配置し、他方の電極は表示部が設けられたユニットの背面に配置することができる。このように配置することにより、操作ボタン側のユニットに配置された電極はユーザの手によって覆われ、表示部背面に設けられた電極は空間に向いて配置されることになる。つまり、上述した条件を満たすように二つの電極を配置することができる。
【０１６３】
図１３は、筐体５５３において、二つの電極（送信信号電極５５４と送信基準電極５５５）を対向するように配置したものである。この場合、図１２の配置と比較し、２電極間の静電結合は強まるものの、筐体５５３が比較的小さい場合に適する。この場合二つの電極は、筐体５５３内の出来るだけ、距離が離れるような方向に配置されることが望ましい。
【０１６４】
図１４は、筐体５５３において、二つの電極（送信信号電極５５４と送信基準電極５５５）を直接対向しないように配置し、かつ、筐体５５３の、互いに対向する面に配置したものである。この構成の場合、二つの電極の静電結合は、図１３より小さいものとなる。
【０１６５】
図１５は、筐体５５３において、二つの電極（送信信号電極５５４と送信基準電極５５５）を、互いに垂直となるように配置したものである。この構成によれば、送信信号電極５５４の面とその対向面が通信媒体に近づく用途において、側面（送信基準電極５５５が配置される面）は、空間との静電結合が残されるため、通信が可能となる。
【０１６６】
図１６は、図１３に示される配置において、電極の一方である送信基準電極５５５を筐体５５３内部に配置したものである。つまり、図１６Ａに示されるように、送信基準電極５５５のみが筐体５５３の内部に設けられる。図１６Ｂは、図１６Ａの面５５６より見た場合の電極位置の例を示す図である。図１６Ｂに示されるように、送信信号電極５５４は、筐体５５３の表面に配置され、送信基準電極５５５のみが筐体５５３の内部に設置されている。この構成によれば、筐体５５３が通信媒体で広く覆れてしまっても、一方の電極周辺には筐体５５３の内部の空間があるため、通信が可能となる。
【０１６７】
図１７は、図１２または図１４に示される配置において、電極の一方である送信基準電極５５５を筐体５５３内部に配置したものである。つまり、図１７Ａに示されるように、送信基準電極５５５のみが筐体５５３の内部に設けられる。図１７Ｂは、図１７Ａの面５５６より見た場合の電極位置の例を示す図である。図１７Ｂに示されるように、送信信号電極５５４は、筐体５５３の表面に配置され、送信基準電極５５５のみが筐体５５３の内部に設置されている。この構成によれば、筐体５５３が通信媒体で広く覆れてしまっても、一方の電極周辺には筐体内部の空間余裕があるため、通信が可能となる。
【０１６８】
図１８は、図１５に示される配置において、電極の一方を筐体内部に配置したものである。つまり、図１８Ａに示されるように、送信基準電極５５５のみが筐体５５３の内部に設けられる。図１８Ｂは、図１８Ａの面５５６より見た場合の電極位置の例を示す図である。図１８Ｂに示されるように、送信信号電極５５４は、筐体５５３の表面に配置され、送信基準電極５５５のみが筐体５５３の内部に設置されている。この構成によれば、筐体が通信媒体で広く覆れてしまっても、一方の電極である送信基準電極５５５を周辺には筐体内部の空間余裕があるため、通信が可能となる。
【０１６９】
以上に説明したいずれの電極配置も、一方の電極よりも他方の電極の方が通信媒体に近く、他方はより空間との静電結合が強まるような配置となるように成されている。また、各配置においては、二つの電極間の静電的結合がより弱まるように配置することが望ましい。
【０１７０】
送信装置あるいは受信装置は何らかの筐体に組み込まれるようにしてもよい。本発明の機器では、少なくとも二つの電極が存在し、それらは電気的に絶縁状態にあるので、筐体もある厚さを持った絶縁体で構成される。図１９は、送信信号電極周辺の断面図を示したものである。送信基準電極、受信信号電極、および受信基準電極のいずれも、送信信号電極と同様の構成であるので、以下の説明を適用することができる。従って、それらについての説明は省略する。
【０１７１】
図１９Ａは、電極周辺の断面図を示したものである。筐体５６３および筐体５６４は、必ず両矢印５６５により示される物理的な厚さ（ｄ［ｍ］）を有するので、電極と通信媒体（例えば、送信電極５６１と通信媒体５６２）、あるいは電極と空間との間には、最低でもこの厚さ分の間隔を生じることになる。これまでの説明から明らかなように、電極と通信媒体、あるいは電極と空間との間は、静電容量を高めた方が一般的に都合がよい。
【０１７２】
いま、筐体５６３および筐体５６４に通信媒体５６２が密着している場合を考える。この場合の送信基準電極５６１と通信媒体５６２との間の静電容量Ｃは（式９）によって求められるから、次の式（２２）のようになる。
【０１７３】
【数２２】
2006352699.tif 000024
【０１７４】
ここで、ε0は真空の誘電率で８．８５４×１０-12［Ｆ／ｍ］という固定値である。εrはその場所の比誘電率、Ｓは送信信号電極５６１の表面積である。送信信号電極５６１の上側に形成される空間５６６に、高い比誘電率を有する誘電体を配置することによって、静電容量を増加させ、性能の向上を図ることができる。
【０１７５】
同様に周囲の空間に対しても静電容量の増加を図ることが出来る。尚、図１９Ａの場合、筐体の厚み（両矢印５６５）の部分に誘電体を挿入したが、必ずしもこの必要はなく、任意の位置にあればよい。
【０１７６】
これに対して図１９Ｂは、電極を筐体に埋め込んだ場合の例である。図１９Ｂにおいて送信信号電極５６１は、筐体５６７に埋め込まれて（筐体５６７の一部となるように）配置されている。こうすることで、通信媒体５６２は、筐体５６７に接触すると同時に、送信信号電極５６１にも接触する。また、送信信号電極５６１の表面に絶縁層を形成することで、通信媒体５６２と送信信号電極５６１とが非接触となるようにすることもできる。
【０１７７】
図１９Ｃは、図１９Ｂの場合に対し、筐体５６７を電極の表面積且つ厚さｄ’で凹状にえぐり、送信信号電極５６１を埋め込んだものである。筐体が一体成型の場合には、本手法により、製造コストや部品コストを抑え、簡単に静電容量を高めることが出来る。
【０１７８】
以上の説明に従えば、例えば、図１２のように同一平面上に複数の電極を配置した場合に、送信信号電極５５４側に誘電体を挿入することによって（または、送信基準電極５５５側よりも高い誘電率を有する誘電体を送信信号電極５５４側に挿入することによって）、送信信号電極５５４と送信基準電極５５５の両方が通信媒体と結合してしまうような状況であっても、送信信号電極５５４の方が通信媒体との結合が強いために電極間に電位差を生じ通信することが可能である。
【０１７９】
次に電極の大きさに関して説明する。少なくとも、送信基準電極及び受信基準電極は、通信媒体が十分な電位を得るために、十分な空間との静電容量を形成する必要があるが、送信信号電極及び受信信号電極は、通信媒体との静電的結合や通信媒体に流す信号の性質を踏まえたうえで、最適な大きさにすればよい。従って、通常、送信基準電極の大きさを送信信号電極の大きさより大きくするとともに、受信基準電極の大きさを受信信号電極の大きさより大きくする。しかしながら、通信を行うために十分な信号が得られれば、これ以外の関係であってももちろんよい。
【０１８０】
特に、送信基準電極の大きさと送信信号電極の大きさを一致させ、かつ、受信基準電極の大きさと受信信号電極の大きさとを一致させた場合、無限遠点の基準点からみれば、これらの電極は互いに同等の特性にみえる。このため、どちらの電極を基準電極（信号電極）として使用するようにしても（基準電極と信号電極を入れ替えることができるようにしても）、同等の通信性能を得られる特徴がある。
【０１８１】
換言すると、基準電極と信号電極の大きさが互いに異なるように設計された場合、一方の電極（信号電極として設定された電極）を通信媒体に近づけた場合にのみ通信可能とすることが出来る特徴を有する。
【０１８２】
次に、回路のシールドについて説明する。以上においては、電極以外の送信部や受信部等は通信システムの物理的な構成を考える上で透明な存在として考えてきたが、実際にこの通信システムを実現するためには電子部品等から構成されるのが一般的である。電子部品は、その性質上、導電性、誘電性等の何らかの電気的な性質を有する物質から構成されるが、これらが電極周辺に存在する以上、動作に影響を与えることになる。本発明では、空間中の静電容量等が様々な影響を与えるため、基板上に実装されている電子回路自身もこの影響を授受ことになる。従って、より安定化した動作を期待する場合には、全体を導体でシールドすることが望ましい。
【０１８３】
シールドした導体は、通常は、送受信装置の基準電位ともなっている送信基準電極または受信基準電極へ接続することが考えられるが、動作に問題がなければ、送信信号電極または受信信号電極へ接続してもよい。本シールドの導体自体も物理的な大きさを持つので、これまで説明してきた原理に従い、他の電極や、通信媒体、空間との相互関係で動作することを考慮する必要がある。
【０１８４】
図２０に、この実施例を示す。本例は、機器がバッテリーで動作することを想定しており、バッテリーを含めた電子部品がシールドケース５７１内に収められており、基準電極も兼ねている。電極５７２は信号電極である。
【０１８５】
次に、通信媒体について説明する。通信媒体に関しては、これまでの例では、導電体を主な例に挙げたが、導電性を持たない誘電体であっても通信が可能である。誘電体中では、送信信号電極から通信媒体へ注入された電界が、誘電体の分極作用によって伝播するためである。
【０１８６】
具体的に、導電体としては電線等の金属物が、また誘電体としては純水等が考えられるが、両方の性質を併せ持った生体、整理食塩水等でも通信は可能である。また、真空中や空気中も誘電率を持つため、通信媒体として通信可能である。
【０１８７】
次にノイズについて説明する。空間中は、ＡＣ電源からのノイズ、蛍光灯や各種家電機器、電気機器からのノイズ、空気中の帯電微粒子の影響等様々な要因によって電位が変動している。これまでは、これら電位変動を無視してきたが、これらのノイズは送信装置、通信媒体、受信装置の各部に重々することになる。
【０１８８】
図２１は、図１の通信システム１００を、ノイズ成分を含めた等価回路により表した模式図である。すなわち、図２１の通信システム６００は、図９の通信システム５００に対応し、通信システム６００の送信装置６１０は、通信システム５００の送信装置５１０に対応し、受信装置６２０は受信装置５２０に対応し、接続線６３０は接続線６３０に対応する。
【０１８９】
送信装置６１０において、信号源６１３−１、送信装置内基準点６１３−２、Cte６１４、Ctg６１５、基準点６１６−１、基準点６１６−２、Ctb６１７−１、Cth６１７−２、およびCti６１７−３は、それぞれ、送信装置５１０の、信号源５１３−１、送信装置内基準点５１３−２、Cte５１４、Ctg５１５、基準点５１６−１、基準点５１６−２、Ctb５１７−１、Cth５１７−２、およびCti５１７−３に対応する。ただし、図９の場合と異なり、送信装置６１０には、ノイズ６４１およびノイズ６４２の二つの信号源が、それぞれ、Ctg６１５と基準点６１６−１との間、およびCth６１７−２と基準点６１６−２との間に設けられている。
【０１９０】
受信装置６２０において、Rr６２３−１、検出器６２３−２、受信装置内基準点６２３−３、Cre６２４、Crg６２５、基準点６２６−１、基準点６２６−２、Crb６２７−１、Crh６２７−２、およびCri６２７−３は、それぞれ、受信装置５２０の、Rr５２３−１、検出器５２３−２、受信装置内基準点５２３−３、Cre５２４、Crg５２５、基準点５２６−１、基準点５２６−２、Crb５２７−１、Crh５２７−２、およびCri５２７−３に対応する。ただし、図９の場合と異なり、受信装置６２０には、ノイズ６４４およびノイズ６４５の二つの信号源が、それぞれ、Crh６２７−２と基準点６２６−２との間、およびCrg６２５と基準点６２６−１との間に設けられている。
【０１９１】
接続線６３０において、Rm６３１、Cm６３２、Rm６３３、および基準点６３６は、それぞれ、接続線５３０の、Rm５３１、Cm５３２、Rm５３３、および基準点５３６に対応する。ただし、図９の場合と異なり、接続線６３０には、信号源により構成されるノイズ６４３が、Cm５３２と基準点５３６との間に設けられている。
【０１９２】
各装置は、自らが有するグランド電位である送信装置内基準点６１３−２、または受信装置内基準点６２３−３を基準に動作しているため、これらに重々するノイズが、送信装置、通信媒体、および受信装置に対して相対的に同成分であれば、動作上は影響しない。一方で、特に装置間の距離が離れている場合やノイズの多い環境下では、各装置間でノイズの相対的な差異を生じる可能性が高まる。つまり、ノイズ６４１乃至ノイズ６４５の動きが互いに異なる。この差異も、時間的な変動がない場合には、使用する信号レベルの相対差が伝達されればよいので、問題ないが、ノイズの変動周期が使用する周波数帯に重なるような場合には、そのノイズ特性を考慮して、利用する周波数や信号レベルを定める必要があるが、換言すれば、ノイズ特性を考慮しながら利用する周波数や信号レベルを定めるだけで、通信システム６００は、ノイズ成分に対する耐性も有し、物理的な基準点経路を不要とし、通信信号伝達経路のみによる通信を実現することができるので、容易に利用環境の制約を受けない通信環境を提供することができる。
【０１９３】
次に、送信装置と受信装置の間の距離の大きさによる通信への影響について説明する。上述したように、本発明の原理によれば、送信基準電極と受信基準電極の空間に十分な静電容量を形成できていれば、送受信装置間近辺の大地による経路や、その他の電気的な経路を必要とせず、送信信号電極と受信信号電極の距離に依存しない。従って、例えば、図２２に示される通信システム７００のように、送信装置７１０と受信装置７２０を遠距離におき、十分な導電性あるいは誘電性を持った通信媒体７３０により送信信号電極７１１、受信信号電極７２１を静電的に結合することによって通信が可能である。このとき、送信基準電極７１２は送信装置７１０の外部の空間と静電結合し、受信基準電極７２２は受信装置７２０の外部の空間と静電結合する。従って、送信基準電極７１２と受信基準電極７２２は、互いに静電結合する必要がない。但し、通信媒体７３０がより長く、大きくなることによって空間に対する静電容量も増加するため、各パラメータを決定する際にこれらについて考慮する必要がある。
【０１９４】
なお、図２２の通信システム７００は、図１の通信システム１００に対応するシステムであり、送信装置７１０は送信装置１１０に対応し、受信装置７２０は受信装置１２０に対応し、通信媒体７３０は通信媒体１３０に対応する。
【０１９５】
送信装置７１０において、送信信号電極７１１、送信基準電極７１２、および信号源７１３−１は、それぞれ、送信信号電極１１１、送信基準電極１１２、および送信部１１３（またはその一部）に対応する。同様に、受信装置７２０において、受信信号電極７２１、受信基準電極７２２、および信号源７２３−１は、それぞれ、受信信号電極１２１、受信基準電極１２２、および受信部１２３（またはその一部）に対応する。
【０１９６】
従って、これらの各部についての説明は省略する。
【０１９７】
以上のように通信システム７００は、物理的な基準点経路を不要とし、通信信号伝達経路のみによる通信を実現することができるので、利用環境の制約を受けない通信環境を提供することができる。
【０１９８】
なお、以上においては、送信信号電極および受信信号電極が通信媒体と非接触であるように説明したが、これに限らず、送信基準電極および受信基準電極がそれぞれの装置周辺空間との間で十分な静電容量が得られるのであれば、送信信号電極と受信信号電極の間を、導電性を有する通信媒体で接続するようにしてもよい。
【０１９９】
図２３は、送信基準電極および受信基準電極を、通信媒体を介して接続する場合の通信システムの例について説明する模式図である。
【０２００】
図２３において、通信システム７４０は、図２２の通信システム７００に対応するシステムである。ただし、通信システム７４０の場合、送信装置７１０に送信信号電極７１１が存在せず、送信装置７１０と通信媒体７３０は、接点７４１において接続される。同様に、通信システム７４０における受信装置７２０には受信信号電極７２１が存在せず、受信装置７１０と通信媒体７３０は、接点７４２において接続される。
【０２０１】
通常の有線通信システムでは、少なくとも二つの信号線があり、これらの信号レベルの相対差を利用して通信を行うように成されているが、本発明に従えば、一本の信号線で通信を行うことができる。
【０２０２】
つまり、通信システム７４０も、物理的な基準点経路を不要とし、通信信号伝達経路のみによる通信を実現することができるので、利用環境の制約を受けない通信環境を提供することができる。
【０２０３】
次に、以上のような通信システムの具体的な適用例について説明する。例えば、以上のような通信システムは、生体を通信媒体とすることもできる。図２４は、人体を介して通信を行う場合の通信システムの例を示す模式図である。図２４において、通信システム７５０は、人体の腕部に取り付けられた送信装置７６０から音楽データを送信し、人体の頭部に取り付けられた受信装置７７０によってその音楽データを受信して音声に変換し、出力してユーザに視聴させるシステムである。この通信システム７５０は、上述した通信システム（例えば、通信システム１００）に対応したシステムであり、送信装置７６０や受信装置７７０は、それぞれ、送信装置１１０や受信装置１２０に対応する。また、通信システム７５０において人体７８０は、通信媒体であり、図１の通信媒体１３０に対応する。
【０２０４】
つまり、送信装置７６０は、送信信号電極７６１、送信基準電極７６２、および送信部７６３を有しており、それぞれ、図１の送信信号電極１１１、送信基準電極１１２、および送信部１１３に対応する。また、受信装置７７０は、受信信号電極７７１、受信基準電極７７２、および受信部７７３を有しており、それぞれ、図１の受信信号電極１２１、受信基準電極１２２、および受信部１２３に対応する。
【０２０５】
従って、通信媒体である人体７８０に、送信信号電極７６１および受信信号電極７７１が接触または近接されるように、送信装置７６０および受信装置７７０が設置される。送信基準電極７６２および受信基準電極７７２は、空間に接していればよいので、周辺に大地との結合や、送受信装置（または電極）同士の結合も不要である。
【０２０６】
図２５は、通信システム７５０を実現する他の例について説明する図である。図２５において、受信装置７７０は、人体７８０に対して足裏部において接触（または近接）し、人体７８０の腕部に取り付けられた送信装置７６０との間で通信を行う。この場合も、通信媒体である人体７８０に接触（または近接）されるように、送信信号電極７６１と受信信号電極７７１が設けられ、空間に向けて送信基準電極７６２と受信基準電極７７２が設けられている。特に、大地を通信経路の一つとしていた従来技術では実現不可能な応用例である。
【０２０７】
つまり、以上のような通信システム７５０は、物理的な基準点経路を不要とし、通信信号伝達経路のみによる通信を実現することができるので、利用環境の制約を受けない通信環境を提供することができる。
【０２０８】
以上のような通信システムにおいて、通信媒体に流す信号の変調方式としては、送信装置と受信装置の両方において対応可能であれば、特に制限はなく、通信システム全体の系の特性を踏まえた上で、最適な方式を選択することが出来る。具体的に変調方式としては、ベースバンド、または振幅変調、または周波数変調されたアナログ信号か、ベースバンド、または振幅変調、または周波数変調、または位相変調されたデジタル信号のうちのいずれか一つ、または複数の混合であってもよい。
【０２０９】
さらに、以上のような通信システムにおいて、一つの通信媒体を利用して、複数の通信を成立させ、全二重通信や、単一の通信媒体による複数の装置同士による通信等を実行することができるようにしてもよい。
【０２１０】
このような多重通信を実現する方法の例を説明する。一つ目は、スペクトラム拡散方式を適用させる方法である。この場合、送信装置と受信装置の間で互いに周波数帯域幅と特定の時系列コードを取り決めておく。そして送信装置は、この周波数帯域幅の中で、もとの信号を時系列コードによって周波数的に変化させ、周波数帯域全体に拡散させてから送信する。受信装置は、この拡散した成分を受信した後、その受信した信号を積分することで受信信号を復号する。
【０２１１】
周波数の拡散によって得られる効果を説明する。シャノンとハートレーのチャネル容量の定理によれば、次の式が成り立つ。
【０２１２】
【数２３】
2006352699.tif 000025
【０２１３】
ここで、Ｃ［bps］はチャネル容量を示し、通信路に流すことの出来る理論上の最大データレートを示す。Ｂ［Hz］はチャネル帯域幅を示す。Ｓ／Ｎは信号対ノイズ電力比（SN比）を示す。さらに、上式をマクローリン展開し、Ｓ／Ｎが低いものとすると、上述した式（２３）は、次の式（２４）のように近似することができる。
【０２１４】
【数２４】
2006352699.tif 000026
【０２１５】
これにより、例えばＳ／Ｎがノイズフロア以下のレベルであったとすると、Ｓ／Ｎ＜＜１となるが、チャネル帯域幅Ｂを広げることで、チャネル容量Ｃを所望のレベルに引き上げることが出来る。
【０２１６】
時系列コードを通信路毎に異なるようし、周波数拡散の動きを異なるようにすれば、相互に干渉することなく周波数が拡散し、相互の混信がなくなることで、同時に複数の通信を行うことができる。
【０２１７】
図２６は、本発明を適用した通信システムの他の構成例を示す図である。図２６に示される通信システム８００においては、四つの送信装置８１０−１乃至８１０−４と、五つの受信装置８２０−１乃至８２０−５が、スペクトラム拡散方式を用いて、通信媒体８３０を介して多重通信を行う。
【０２１８】
送信装置８１０−１は、図１の送信装置１１０に対応しており、送信信号電極８１１、送信基準電極８１２を有し、さらに、送信部１１３に対応する構成として、原信号供給部８１３、乗算器８１４、拡散信号供給部８１５、および増幅器８１６を有している。
【０２１９】
原信号供給部８１３は、周波数を拡散する前の信号である原信号を乗算器８１４に供給する。また、拡散信号供給部８１５は、周波数を拡散させるための拡散信号を乗算器８１４に供給する。なお、この拡散信号による拡散の方式には、代表的なものとして、ダイレクトシーケンス方式（以下、DS方式と称する）と周波数ホッピング方式（以下、FH方式と称する）の二種類の方法がある。DS方式は、少なくとも原信号よりも高い周波数成分を持った上記の時系列コードを乗算器８１４において乗算させ、その乗算結果を所定の搬送波に乗せて、増幅器８１５において増幅した後出力する方式である。
【０２２０】
また、FH方式は、上記の時系列コードによって搬送波の周波数を変化させて拡散信号とし、原信号供給部８１３より供給される原信号と乗算器８１４によって乗算し、増幅器８１５において増幅した後出力する方式である。増幅器８１５の一方の出力は、送信信号電極８１１に接続され、他方は、送信基準電極８１２に接続される。
【０２２１】
送信装置８１０−２乃至送信装置８１０−４も同様の構成であり、上述した送信装置８１０−１に対する説明を適用可能であるのでその説明を省略する。
【０２２２】
受信装置８２０−１は、図１の受信装置１２０に対応しており、受信信号電極８２１、受信基準電極８２２を有し、さらに、受信部１２３に対応する構成として、増幅器８２３、乗算器８２４、拡散信号供給部８２５、および原信号出力部８２６を有している。
【０２２３】
受信装置８２０−１は、まず、本発明の方法に基づいて電気信号を復元した後、送信装置８１０−１と逆の信号処理によって元の原信号（原信号供給部８１３が供給する信号）を復元する。
【０２２４】
この方式による周波数スペクトルを図２７に示す。横軸は周波数を、縦軸はエネルギーを示している。スペクトル８４１は周波数を固定した方式のスペクトルであるが、特定の周波数にエネルギーが集中している。この方式では、ノイズフロア８４３以下にエネルギーが低下してしまうと信号を復元することは出来ない。一方、スペクトル８４２はスペクトラム拡散方式のスペクトルを示しているが、広い周波数帯域に渡ってエネルギーが分散している。図の長方形の面積が全体のエネルギーを示していると考えることが出来るので、スペクトル８４２の信号は、各周波数成分がノイズフロア８４３以下にも関わらず、周波数帯域全体に渡ってエネルギーを積分することで元の信号を復元でき、通信が可能となる。
【０２２５】
以上のようなスペクトラム拡散方式を用いて通信を行うことにより、通信システム８００は、図２６に示されるように、同一の通信媒体８３０を利用して同時通信を行うことができる。図２６において、経路８３１乃至経路８３５は通信媒体８３０上の通信経路を示している。また、スペクトラム拡散方式を用いることにより、通信システム８００は、経路８３１と経路８３２に示されるような多対一通信や、多対多通信も行うことができる。
【０２２６】
二つ目は、送信装置と受信装置の間で互いに周波数帯域幅を決め、それをさらに複数の領域に分割する周波数分割方式を適用させる方法である。この場合、送信装置（または受信装置）は、特定の周波数帯域割り振りの規則に従うか、通信開始時に空いている周波数帯域を検出し、その検出結果に基づいて周波数帯域の割り振りを行う。
【０２２７】
図２８は、本発明を適用した通信システムの他の構成例を示す図である。図２８に示される通信システム８５０においては、四つの送信装置８６０−１乃至８６０−４と、五つの受信装置８７０−１乃至８７０−５が、周波数分割方式を用いて、通信媒体８８０を介した多重通信を行う。
【０２２８】
送信装置８６０−１は、図１の送信装置１１０に対応しており、送信信号電極８６１、送信基準電極８６２を有し、さらに、送信部１１３に対応する構成として、原信号供給部８６３、乗算器８６４、周波数可変型発信源８６５、および増幅器８６６を有している。
【０２２９】
周波数可変型発振源８６５によって生成された特定の周波数成分を持った発振信号は、乗算器８６４において原信号供給部８６３より供給された原信号と乗算され、増幅器８６６において増幅された後、出力される（適宜フィルタリングを行うものとする）。増幅器８６６の一方の出力は送信信号電極８６１に接続され、他方は送信基準電極８６２に接続される。
【０２３０】
送信装置８６０−２乃至送信装置８６０−４も同様の構成であり、上述した送信装置８６０−１に対する説明を適用可能であるのでその説明を省略する。
【０２３１】
受信装置８７０−１は、図１の受信装置１２０に対応しており、受信信号電極８７１、受信基準電極８７２を有し、さらに、受信部１２３に対応する構成として、増幅器８７３、乗算器８７４、周波数可変型発信源８７５、および原信号出力部８７６を有している。
【０２３２】
受信装置８７０−１は、まず、本発明の方法に基づいて電気信号を復元した後、送信装置８６０−１と逆の信号処理によって元の原信号（原信号供給部８６３が供給する信号）を復元する。
【０２３３】
この方式による周波数スペクトルの例を図２９に示す。横軸は周波数を、縦軸はエネルギーを示している。なお、ここでは、説明の便宜上、図２９に示されるように、全体の周波数帯域幅８９０（ＢＷ）を、五つの帯域幅８９１乃至８９５（ＦＷ）に分割した例を示している。このように分割された各周波数帯域は、互いに異なる通信経路の通信に利用される。つまり、通信システム８５０の送信装置８６０（受信装置８７０）は、通信経路毎に異なる周波数帯域を利用することにより、図２８に示されるように、相互の混信を抑制し、一つの通信媒体８８０において、同時に複数の通信を行うことができる。図２８において、経路８８１乃至経路８８５は通信媒体８８０上の通信経路を示している。また、周波数分割方式を用いることにより、通信システム８５０は、経路８８１と経路８８２に示されるような多対一通信や、多対多通信も行うことができる。
【０２３４】
なお、ここでは、通信システム８５０（送信装置８６０または受信装置８７０）が、全帯域幅８９０を五つの帯域幅８９１乃至８９５に分割するように説明したが、分割数はいくつであってもよいし、各帯域幅の大きさが互いに異なるようにしてもよい。
【０２３５】
三つ目は、送信装置と受信装置の間で互いに通信時間を複数に分割する時分割方式を適用させる方法である。この場合、送信装置（または受信装置）は、特定の時間分割規則に従うか、通信開始時に空いている時間領域を検出し、その検出結果に基づいて通信時間の分割を行う。
【０２３６】
図３０は、本発明を適用した通信システムの他の構成例を示す図である。図３０に示される通信システム９００においては、四つの送信装置９１０−１乃至９１０−４と、五つの受信装置９２０−１乃至９２０−５が、時分割方式を用いて、通信媒体９３０を介した多重通信を行う。
【０２３７】
送信装置９１０−１は、図１の送信装置１１０に対応しており、送信信号電極９１１、送信基準電極９１２を有し、さらに、送信部１１３に対応する構成として、時間制御部９１３、乗算器９１４、発信源９１５、および増幅器９１６を有している。
【０２３８】
時間制御部９１３によって所定時間に原信号が出力される。乗算器９１４は、原信号と、発振源９１５により供給される発振信号を乗算し、増幅器９１６から出力する（適宜フィルタリングを行うものとする）。増幅器９１６の一方の出力は、送信信号電極９１１に接続され、他方は、送信基準電極９１２に接続される。
【０２３９】
送信装置９１０−２乃至送信装置９１０−４も同様の構成であり、上述した送信装置９１０−１に対する説明を適用可能であるのでその説明を省略する。
【０２４０】
受信装置９２０−１は、図１の受信装置１２０に対応しており、受信信号電極９２１、受信基準電極９２２を有し、さらに、受信部１２３に対応する構成として、増幅器９２３、乗算器９２４、発信源９２５、および原信号出力部９２６を有している。
【０２４１】
受信装置９２０−１は、まず、本発明の方法に基づいて電気信号を復元した後、送信装置９２０−１と逆の信号処理によって元の原信号（時間制御部９１３が供給する原信号）を復元する。
【０２４２】
この方式によるる時間軸上のスペクトルの例を図３１に示す。横軸は時間を、縦軸はエネルギーを示している。なお、ここでは、説明の便宜上、五つの時間帯域９４１乃至９４５を示しているが、実際には、時間帯域は、これ以降同様に継続する。このように分割された各時間帯域は、互いに異なる通信経路の通信に利用される。つまり、通信システム９００の送信装置９１０（受信装置９２０）は、通信経路毎に異なる時間帯域において通信を行うことにより、図３０に示されるように、相互の混信を抑制し、一つの通信媒体９３０において、同時に複数の通信を行うことができる。図３０において、経路９３１乃至経路９３５は通信媒体９３０上の通信経路を示している。また、時分割方式を用いることにより、通信システム９００は、経路９３１と経路９３２に示されるような多対一通信や、多対多通信も行うことができる。
【０２４３】
なお、ここでは、通信システム９００（送信装置９１０または受信装置９２０）が分割する各時間帯の時間幅の大きさが互いに異なるようにしてもよい。
【０２４４】
さらに、上述した以外の方法として、一つ目から三つ目までの通信方式のうちの二つ以上を組み合わせるようにしてもよい。
【０２４５】
送信装置および受信装置が、同時に複数の他の装置と通信を行うことができるということは、特定のアプリケーションにおいては、特に重要になる。例えば、交通機関のチケットへの応用を想定すると、定期券の情報を有する装置Ａと電子マネー機能を有する装置Ｂの両方を所持した利用者が、自動改札機を利用する際、上記のような方式を使用することで、装置Ａ及び装置Ｂと同時に通信することで、例えば、利用区間が定期券外の区間も含まれていた場合に、不足金額分を装置Ｂの電子マネーから差し引くといった便利な用途に利用することが出来る。
【０２４６】
以上のような送信装置と受信装置との間の通信において実行される通信処理の流れについて、図１の通信システム１００の送信装置１１０と受信装置１２０との通信の場合を例に、図３２のフローチャートを参照して説明する。
【０２４７】
送信装置１１０の送信部１１３は、ステップＳ１において、送信対象となる信号を発生し、ステップＳ２において、その発生した信号を、送信信号電極１１１を介して、通信媒体１３０上に送信する。信号を送信すると送信装置の送信部１１３は、通信処理を終了する。送信装置１１０より送信された信号は、通信媒体１３０を介して受信装置１２０に供給される。受信装置１２０の受信部１２３は、ステップＳ２１において、受信信号電極１２１を介して、その信号を受信し、ステップＳ２２において、その受信した信号を出力する。受信した信号を出力した受信部１２３は、通信処理を終了する。
【０２４８】
以上のように、送信装置１１０および受信装置１２０は、基準電極を用いて閉回路を構築する必要がなく、信号電極を介して信号を送受信するのみで、環境に影響されずに安定した通信処理を容易に行うことができる。なお、通信処理の構造が単純であるので、通信システム１００は、変調、符号化、暗号化、または多重化など、多様な通信方式を容易に併用することができる。
【０２４９】
なお、以上の通信システムにおいては、送信装置と受信装置を別体として構成するように説明したが、これに限らず、上述した送信装置と受信装置の両方の機能を有する送受信装置を用いて通信システムを構築するようにしてもよい。
【０２５０】
図３３は、本発明を適用した通信システムの他の構成例を示す図である。
【０２５１】
図３３において、通信システム９５０は、送受信装置９６１、送受信装置９６２、および通信媒体１３０を有する。通信システム９５０は、送受信装置９６１と送受信装置９６２が通信媒体１３０を介して双方向に信号を送受信するシステムである。
【０２５２】
送受信装置９６１は、図１の送信装置１１０と同様の送信部１１０と、受信装置１２０と同様の受信部１２０の両方の構成を有している。すなわち、送受信装置９６１は、送信信号電極１１１、送信基準電極１１２、送信部１１３、受信信号電極１２１、受信基準電極１２２、および受信部１２３を有している。
【０２５３】
つまり送受信装置９６１は、送信部１１０を用いて通信媒体１３０を介して信号を送信し、受信部１２０を用いて通信媒体１３０を介して供給される信号を受信する。上述したように、本発明の通信方式においては多重通信が可能であるので、この場合の送受信装置９６１においても、送信部１１０による通信と、受信部１２０による通信とを同時に（時間的に重なるように）行われるようにしてもよい。
【０２５４】
送受信装置９６２は、送受信装置９６１と同様の構成を有し、同様に動作するのでその説明を省略する。つまり送受信装置９６１と送受信装置９６２は、互いに同様の方法で、通信媒体１３０を介して、双方向に通信を行う。
【０２５５】
このようにすることにより、通信システム９５０（送受信装置９６１および送受信装置９６２）は、利用環境に制約を受けない双方向通信を容易に実現することができる。
【０２５６】
なお、この送受信装置９６１や送受信装置９６２の場合も、図２３を参照して説明した送信装置や受信装置の場合と同様に、送信信号電極や受信信号電極を通信媒体に電気的に接続する（接点７４１または接点７４２として設ける）ようにしてももちろんよい。また、以上においては送信信号電極１１１、送信基準電極１１２、受信信号電極１２１、および受信基準電極１２２を互いに別体として構成するように説明したが、これに限らず、例えば、送信信号電極１１１と受信信号電極１２１を一つの電極により構成するようにしてもよいし、また、送信基準電極１１２と受信基準電極１２２を一つの電極により構成する（送信部１１３および受信部１２３が信号電極または基準電極を共有する）ようにしてもよい。
【０２５７】
尚、以上において、本発明を適用した通信システムの各装置（送信装置、受信装置、および通信装置）は、各装置内の基準電位が基準電極と接続されるように説明したが、これに限らず、例えば、互いに位相が異なる二つの信号で動作する差動回路により構成してもよく、差動回路の一方の信号を信号電極に接続して通信媒体中に伝送し、差動回路の他方の信号を基準電極に接続することによっても情報の伝送が可能である。
【０２５８】
次に、本発明を適用した通信システムについて説明する。図３４は、本発明を適用した通信システムの一実施形態に係る構成例を示す図である。
【０２５９】
図３４に示される通信システム１０００は、各デバイスが人体を介して通信を行う通信システムであり、以上に説明したような、基準電極を用いて閉回路を構築する必要がなく、信号電極を介して信号を送受信するのみで、環境に影響されずに安定した通信処理を容易に行う通信システムである。
【０２６０】
図３４において通信システム１０００は、リーダライタ１００１、ユーザデバイス（以下、UDと称する）１００２乃至UD１００４を有している。リーダライタ１００１と、UD１００２乃至UD１００４は、例えば人体等の、導電体や誘電体よりなる通信媒体を介して通信を行う。
【０２６１】
リーダライタ１００１は、通信に関する処理を行う通信部１０１１、信号を送受信するための基準電極１０１２および信号電極１０１３、並びに、UDを有するユーザに提供するサービスに関する処理を行うサービス提供部１０１４を有している。この通信システム１０００は、図１の通信システム１００と同様の方法により通信を行う通信システムであり、通信部１０１１は例えば送信部１１３や受信部１２３に対応し、基準電極１０１２は例えば送信基準電極１１２や受信基準電極１２２に対応し、信号電極１０１３は例えば送信信号電極１１１や受信信号電極１２１に対応する。つまり、信号電極１０１３と通信媒体との間に形成される静電容量は、基準電極１０１２と通信媒体との間に形成される静電容量に対して大きい。
【０２６２】
また、図３４において、UD１００２はユーザ１０２１が有しており、UD１００３はユーザ１０２２が有しており、UD１００４はユーザ１０２３が有している。UD１００２乃至UD１００４は、それぞれ、図１の通信システム１００と同様の方法により、リーダライタ１００１と通信を行うデバイスである。
【０２６３】
リーダライタ１００１の通信部１０１１は、床に設置された信号電極１０１３上に位置するユーザ１０２１乃至ユーザ１０２３の人体等を介して、UD１００２乃至UD１００４と通信を行う。なお、UD１００２乃至UD１００４は、それぞれ固有の識別情報を有しており、通信部１０１１は、それらの識別情報を用いて通信相手（信号を送受信する相手）を特定する。図３４において、UD１００２の識別情報は「ID１」であり、UD１００３の識別情報は「ID２」であり、UD１００４の識別情報の値は「ID３」である。この識別情報はその値がデバイス毎に異なるものであればどのような内容であってもよく、ビット数も任意である。
【０２６４】
サービス提供部１０１４は、通信部１０１１を制御し、通信部１０１１がUD１００２乃至UD１００４と通信を行うことにより、例えば、乗車運賃の決済や、商品購入手続き、または、個人認証等、信号電極１０１３上のユーザ１０２１乃至ユーザ１０２３に対して所定のサービスを提供する。
【０２６５】
なお、図３４においては、１台のリーダライタと３台のUDにより構成されるように説明したが、これらのデバイスの数は任意である。また、基準電極１０１２や信号電極１０１３の数や大きさも任意である。さらに、通信システム１０００としては、１人のユーザが複数のUDを有してもよいし、複数のユーザが１つのUDを有してもよい。ただし、例えば、UDとユーザの数や位置の関係が、サービス提供部１０１４が提供するサービスのルールに違反している場合、そのサービスが提供されないこともある。
【０２６６】
以上のように、リーダライタ１００１は、UD１００２乃至UD１００４の識別情報を用いて、それぞれに対して互いに独立して通信を行い、それぞれにサービスを提供するが、そのために、まず、サービスに対応する可能な範囲に存在するUDを特定する必要がある。従ってリーダライタ１００１の通信部１０１１は、UDと通信を行うために、まず、現在通信可能な状態にあるUDを検索する（UDの識別情報を取得する）。そして、リーダライタ１００１の通信部１０１１は、次にその取得した識別情報の認証処理を行い、サービスを提供するアプリケーション処理の相手となるUDを特定し、サービス提供部１０１４を用いて、そのUDに対してアプリケーション処理を行う。アプリケーション処理が成功すれば通信処理が終了し、アプリケーション処理が失敗すれば、他のUDについて再度識別情報の取得等の処理を繰り返す。
【０２６７】
次に各デバイスの具体的な構成について説明する。
【０２６８】
図３５は、図３４のリーダライタ１００１の内部の構成例を説明するブロック図である。
【０２６９】
図３５において、リーダライタ１００１の通信部１０１１は、通信の制御処理を行う通信制御部１０３１と、基準電極１０１２や信号電極１０１３に接続され、信号電極１０１３を介して信号を送受信する送受信部１０３２を有している。通信制御部１０３１は、送受信部１０３２による信号の送受信を制御し、UD１００２乃至UD１００４との通信を行わせる。
【０２７０】
通信制御部１０３１は、ID取得処理部１０４１、ID認証処理部１０４２、およびアプリケーション処理部１０４３を有している。ID取得処理部１０４１は、通信可能なUDの識別情報（ID(Identification)）の取得に関する処理を行う。ID認証処理部１０４２は、ID取得処理部１０４１が取得したIDの認証処理を行い、通信相手となるUDを特定する。アプリケーション処理部１０４３は、ID認証処理部１０４２が認証させたIDに対応するUDに対して、サービス提供部１０１４の提供するサービスに関する通信処理を行い、処理を指示したり、データの授受を行ったりする。
【０２７１】
図３６は、図３４のUD１００２の内部の構成例を説明するブロック図である。
【０２７２】
図３６においてUD１００２は、通信に関する処理を行う通信部１０５１、信号を送受信するための基準電極１０５２および信号電極１０５３、並びに、リーダライタ１００１より提供されるサービスに関する処理を行うサービス処理部１０５４を有している。
【０２７３】
通信部１０５１は、例えば図１の送信部１１３や受信部１２３に対応し、基準電極１０５２は例えば図１の送信基準電極１１２や受信基準電極１２２に対応し、信号電極１０５３は例えば図１の送信信号電極１１１や受信信号電極１２１に対応する。つまり、信号電極１０５３と通信媒体との間に形成される静電容量は、基準電極１０５２と通信媒体との間に形成される静電容量に対して大きい。
【０２７４】
通信部１０５１は、通信の制御処理を行う通信制御部１０６１、基準電極１０５２や信号電極１０５３に接続され、信号電極１０５３を介して信号を送受信する送受信部１０６２、並びに、時刻情報を通信制御部１０６１の各部に提供するタイマ１０６３を有している。通信制御部１０６１は、タイマ１０６３より供給される時刻情報に基づいて、送受信部１０６２による信号の送受信を制御し、リーダライタ１００１との通信を行わせる。
【０２７５】
通信制御部１０６１は、ID要求応答部１０７１、ID認証応答部１０７２、アプリケーション処理応答部１０７３、学習部１０７４、および優先情報保持部１０７５を有している。
【０２７６】
ID要求応答部１０７１は、リーダライタ１００１より供給されるIDを要求する要求情報であるID要求に対する通信処理を制御する。ID認証応答部１０７２は、サービスを提供する相手となるUDのIDの認証処理に関する通信処理を制御する。アプリケーション処理応答部１０７３は、リーダライタ１００１からのサービス提供に関する処理に対する、サービス処理部１０５４の応答処理について、その通信に関する処理を制御する。
【０２７７】
すなわち、アプリケーション処理応答部１０７３は、図３５のアプリケーション処理部１０４３の処理に対応する処理を行う。学習部１０７４は、アプリケーション処理応答部１０７３によるアプリケーション処理の成功や失敗の傾向に基づいて、このUD１００２の通信を優先すべきか否かを学習する。つまり、学習部１０７４は、アプリケーション処理結果に基づいて、所定の時間帯毎の、このUD１００２の通信の優先度を設定し、後述する時間別優先情報を生成する。学習部１０７４は、この時間別優先情報を優先情報保持部１０７５に供給する。優先情報保持部１０７５は、例えばRAM（Random Access Memory）、フラッシュメモリ、またはハードディスク等の記録媒体よりなり、UD１００２の通信の優先度を示す情報、すなわち、IDを出力する際のタイムスロットへの割り当て方法を制御する情報（図３５の場合、時間別優先情報１０７５Ａ）を保持する。そして、優先情報保持部１０７５は、後述する出力TS制御部１０８２の要求に基づいてその優先情報（図３５の場合、時間別優先情報１０７５Ａ）を出力TS制御部１０８２に供給する。
【０２７８】
ID要求応答部１０７１は、ID要求取得処理部１０８１、出力TS制御部１０８２、およびID返答供給部１０８３を有する。
【０２７９】
ID要求取得処理部１０８１は、送受信部１０６２を介して、リーダライタ１００１より送信されたID要求を取得し、それを出力TS制御部１０８２に供給する。出力TS制御部１０８２は、IDを出力するタイムスロット（TS）を特定（制御）する。その際、出力TS制御部１０８２は、優先情報保持部１０７５に保持されている時間別優先情報１０７５Ａを取得し、それを参考にする。IDを出力するタイムスロット（TS）を特定すると、出力TS制御部１０８２は、その情報をID返答供給部１０８３に供給する。ID返答供給部１０８３は、出力TS制御部１０８２に指示されたタイムスロットにおいて、送受信部１０６２を制御し、UD１００２のIDをID返答としてリーダライタ１００１に送信する。
【０２８０】
すなわち、時間別優先情報１０７５Ａは、学習部１０７４が、このUD１００２がどの時間帯に提供されるサービスに対応するかを学習した学習結果である。例えば、UD１００２が電車の定期券として利用されるデバイスであり、平日の朝夕の通勤または通学の時間帯に多く利用されるとする。つまり、平日の朝夕の時間帯において、UD１００２がリーダライタ１００１と通信を行う場合、そのリーダライタ１００１が、電車の駅の改札口に設置されたリーダライタである（UD１００２のユーザ１０２１が改札口を通過した）可能性が高い。すなわち、UD１００２は、平日の朝夕の時間帯において、アプリケーション処理を成功させる可能性が高いことになる。
【０２８１】
このUD１００２の学習部１０７４は、アプリケーション処理が成功した時間帯を特定していくことにより、平日の朝夕に成功する回数が多いことを学習し、その時間帯の優先度を上げていくように時間別優先情報１０７５Ａを作成する。
【０２８２】
出力TS制御部１０８２は、リーダライタ１００１からの要求に対して、この時間別優先情報１０７５Ａに基づいて、平日の朝夕の時間帯の場合のみ、時間的に前のタイムスロットにおいてIDを送信するように設定し、それ以外の時間帯の場合、時間的に後のタイムスロットにおいてIDを送信するように設定する。
【０２８３】
このようにすることにより、平日の朝夕の時間帯の場合のみ、UD１００２が他のUDよりも優先的にIDをリーダライタ１００１に供給し、アプリケーション処理が行われるようにすることができる。逆に平日の朝夕以外の時間帯の場合、UD１００２は、他のUDを優先させるようにすることができる。
【０２８４】
つまり、学習部１０７４がアプリケーション処理の成否を学習し、時間別優先情報１０７５Ａを生成し、出力TS制御部１０８２がその時間別優先情報１０７５Ａに基づいてID出力のタイミングを制御することにより、UD１００２は、ユーザ１０２１による時間帯毎の使用傾向（いつ、どのようなサービスを受ける可能性が高いか）を把握し、その傾向に基づいてID出力の優先度を制御することができる。従って、複数のUDが存在する場合であっても、時間帯によって、アプリケーション処理が成功する可能性の高いUD（リーダライタ１００１が提供するサービスに対応する可能性の高いUD）が優先的にIDをリーダライタ１００１に供給することができる。
【０２８５】
これにより、アプリケーション処理の失敗の回数を抑制することができるので、UD１００２（通信システム１０００）は、通信処理をより高効率化させることができ、速度の低下を抑制することができる。
【０２８６】
図３７は、時間別優先情報１０７５Ａの構成例を示す模式図である。
【０２８７】
図３７に示されるように、時間別優先情報１０７５Ａは、所定の時間帯毎に、そのUDのID送信の優先度を示す情報である。例えば、図３７の場合、月曜日から日曜日の１週間を、３時間毎の５６個の時間帯に区分しており、そのそれぞれの時間帯について優先度が割り当てられている。優先度は、そのUDのID送信を行う際に、時間的に前のタイムスロットに割り当てるか、後のタイムスロットに割り当てるかを示す情報である。
【０２８８】
この優先度の値は、任意であり、図３７に示されるように整数であってもよいし、分数や少数であってもよいし、割合（率）であってもよい。また、この優先度は、どのようなパラメータであってもよく、例えば、優先度の値が大きいほど優先される（時間的に前のタイムスロットが割り当てられる）ようにしてもよいし、優先度の値が小さいほど優先される（時間的に前のタイムスロットが割り当てられる）ようにしてもよい。また、優先度の値がID送信を割り当てるタイムスロットの番号を示してもよいし、各タイムスロットの、ID送信が割り当てられる確率（重み付け）であってもよい。
【０２８９】
例えば、タイムスロット数を４つとし、生成される乱数値を２ビット（つまり、「０」から「３」までの値）とすると、優先度の値が小さいもの（優先順位の低いもの）は上位ビットが「１」に固定され、高いものは「０」に固定にされるようにする。これにより、優先順位が低いデバイスは乱数として２か３しか発生しないことになり、逆に、優先順位の高いデバイスは０か１を発生することになる。つまり、優先順位の高いデバイスほど時間的に前のタイムスロットに割り当てられるようになる。このようにすることで、通信システム１０００（またはその各デバイス）は、優先順位に応じて発生する乱数を偏らせることができる。
【０２９０】
また、例えば、出力TS制御部１０８２が、値「０」乃至値「３」を乱数値として出力する際に、まず、値「０」から値「１」までの範囲で値をランダムに求め、その求めた値に対して乱数値として出力する値（値「０」乃至値「３」）を割り当てるようにし、その割り当てにおいて、出力TS制御部１０８２が優先度に応じて重み付けを行うようにしてもよい。
【０２９１】
具体的には例えば、出力TS制御部１０８２は、重み付けがされていない状態の場合、ランダムに求めた値が「０」乃至「０．２５」のとき、出力する乱数値に値「０」を割り当て、ランダムに求めた値が「０．２５」乃至「０．５」のとき、出力する乱数値に値「１」を割り当て、ランダムに求めた値が「０．５」乃至「０．７５」のとき、出力する乱数値に値「２」を割り当て、ランダムに求めた値が「０．７５」乃至「１」のとき、出力する乱数値に値「３」を割り当てるようにする。
【０２９２】
そして、例えば優先順位が高い場合、出力TS制御部１０８２は、その優先度に基づいて重み付けを行い、ランダムに求めた値が「０」乃至「０．５」のとき、出力する乱数値に値「０」を割り当て、ランダムに求めた値が「０．５」乃至「０．７５」のとき、出力する乱数値に値「１」を割り当て、ランダムに求めた値が「０．７５」乃至「０．９」のとき、出力する乱数値に値「２」を割り当て、ランダムに求めた値が「０．９」乃至「１」のとき、出力する乱数値に値「３」を割り当てる。
【０２９３】
このようにすることで、通信システム１０００（またはその各デバイス）は、乱数値の各値の発生確率を変更（制御）することができる。
【０２９４】
なお、図３７に示される時間帯は一例であり、これ以外であってももちろんよい。例えば、１時間毎に優先度が割り当てられるようにしてもよいし、全体を１週間でなく、１ヶ月としてもよいし（１ヶ月周期の優先度情報としてもよいし）、また、各時間帯の長さが全て統一されていなくてもよく、一部の時間帯の長さが長かったり短かったりしてもよい。
【０２９５】
図３８は、図３６の出力TS制御部１０８２の詳細な構成例を示すブロック図である。
【０２９６】
図３８において、出力TS制御部１０８２は、乱数生成用重み付け情報生成部１０９１、乱数生成部１０９２、および出力TS設定部１０９３を有している。
【０２９７】
乱数生成用重み付け情報生成部１０９１は、タイマ１０６３より供給される時刻情報、および優先情報保持部１０７５より供給される時間別優先情報１０７５Ａに基づいて、現在時刻における優先度を特定し、その優先度に基づいて、乱数生成用の重み付け情報（乱数として生成される各値の生成確率を重み付けする情報）を生成する。乱数生成部１０９２は、乱数生成用重み付け情報生成部１０９１において生成された乱数生成用の重み付け情報を用いて、その重み付けに従って、乱数を生成する。出力TS設定部１０９３は、乱数生成部１０９２において生成された乱数値に対応するタイムスロットにID出力処理を割り当てる。ID出力処理をタイムスロットに割り当てると、出力TS設定部１０９３は、その設定をID返答供給部１０８３に供給する。
【０２９８】
図３９は、図３６の学習部１０７４の詳細な構成例を示すブロック図である。
【０２９９】
図３９において、学習部１０７４は、現在時刻情報取得部１０９６、時間別優先情報作成部１０９７、および時間別優先情報保存制御部１０９８を有している。
【０３００】
現在時刻情報取得部１０９６は、タイマ１０６３より現在時刻情報を取得し、それを時間別優先情報作成部１０９７に供給する。時間別優先情報作成部１０９７は、現在時刻情報取得部１０９６より供給された現在時刻情報に基づいて現在時刻の対応する時間帯を把握し、アプリケーション処理応答部１０７３の処理結果（成功または失敗）に基づいて、その時間帯におけるID出力の優先度を設定し、時間別優先情報１０７５Ａを作成する。時間別優先情報１０７５Ａを作成すると、時間別優先情報作成部１０９７は、それを時間別優先情報保存制御部１０９８に供給する。時間別優先情報保存制御部１０９８は、供給された時間別優先情報１０７５Ａを優先情報保持部１０７５に供給し、保持させる。
【０３０１】
なお、UD１００３およびUD１００４もUD１００２と同様の構成を有し、同様の処理を行う。すなわち、図３６乃至図３９に示されるUD１００２の構成、並びに、それらの図面を参照して上述した説明は、UD１００３およびUD１００４のいずれにも適用することができる。従って、UD１００３およびUD１００４の説明は省略する。
【０３０２】
次に、図４０および図４１のタイミングチャートを参照して、リーダライタ１００１がUD１００２乃至UD１００４を有するユーザに対してサービスを提供するまでの処理の流れを説明する。
【０３０３】
最初に、図４０のステップＳ１０１においてリーダライタ１００１は、ID要求処理を開始し、UD１００２乃至UD１００４は、それぞれ、ステップＳ１１１、ステップＳ１２１、およびステップＳ１３１において、そのID要求処理に対する応答処理を行う。なお、応答処理の詳細は図４２を用いて後述する。この処理により、リーダライタ１００１がUD１００３のID２を最初に取得したとする。
【０３０４】
ID２を取得したリーダライタ１００１は、次に、ステップＳ１０２において、ID２が対応するUDを特定するためのID２認証処理を行う。UD１００２乃至UD１００４は、それぞれ、ステップＳ１１２、ステップＳ１２２、およびステップＳ１３２において、リーダライタ１００１のID２認証処理に対応する処理として、ID２認証処理を行う。ID２に対応していないUD１００２およびUD１００４は、ID２の認証に失敗し、UD１００３のみ成功する。
【０３０５】
従って、リーダライタ１００１は、ステップＳ１０３において、このUD１００３（ID２）に対してアプリケーション処理を実行する。UD１００３もリーダライタ１００１の処理に対応して、ステップＳ１２３においてアプリケーション処理を行うものの、UD１００３はリーダライタ１００１の提供するサービスに対応していないため、このアプリケーション処理（ステップＳ１２３）は、失敗する。UD１００３は、ステップＳ１２４において学習処理を行い、この時間帯においてアプリケーション処理に失敗した（この時間帯に提供されるサービスに対応していない）ことを学習し、時間別優先情報１０７５Ａを作成し、保存する。
【０３０６】
アプリケーション処理が失敗したので、リーダライタ１００１は、処理を図４１のステップＳ１４１に進め、ステップＳ１０１と同様のID要求処理を行う。UD１００２およびUD１００４は、それぞれ、ステップＳ１５１およびステップＳ１７１において、このID要求処理に対応する応答処理を行う。なお、UD１００３は、アプリケーション処理に失敗したので、このID要求処理に応答しないように、例えば所定の時間リーダライタ１００１からの要求を無視するように設定される。UD１００３は、この設定に基づいて、ステップＳ１４１のID要求処理には応答しない。
【０３０７】
具体的な例としては、まず前提として、ID返答要求コマンド（ID要求処理）に対して、例外を除けば基本的に全てのUDが反応する（IDを返答する）ようにしておき、ID返答要求コマンド以降のコマンドに対しては、認証に成功していないUD以外は応じないようにする。そして、このとき、アプリケーション処理が終了（成功、失敗含む）したUDが、例外的にID返答要求に反応しなくなり、以降のコマンドにも反応しなくなるようにする。この場合、ID返答要求に反応しなくなったUDは、所定の時間の後、または、所定の方法により、リーダライタとのアクセス可能領域を離脱したことを検知した後、等にこの設定をリセットし、再度ID返答要求に反応することができるように設定が変更される。
【０３０８】
以上のような処理はあくまでも一例であり、その他の処理方法を用いてID返答要求に対する処理が行われるようにしてもよい。このような処理により、リーダライタ１００１がUD１００４のID３を最初に取得したとする。
【０３０９】
ID３を取得したリーダライタ１００１は、次に、ステップＳ１４２において、ID３が対応するUDを特定するためのID３認証処理を再度行う。UD１００２およびUD１００４は、それぞれ、ステップＳ１５２、およびステップＳ１７２において、リーダライタ１００１のID３認証処理に対応する処理として、ID３認証処理を行う。ID３に対応していないUD１００２は、ID３の認証に失敗し、UD１００４のみ成功する。
【０３１０】
従って、リーダライタ１００１は、ステップＳ１４３において、このUD１００４（ID３）に対してアプリケーション処理を実行する。UD１００４もリーダライタ１００１の処理に対応して、ステップＳ１７３においてアプリケーション処理を行うものの、UD１００４はリーダライタ１００１の提供するサービスに対応していないため、このアプリケーション処理（ステップＳ１７３）は、失敗する。UD１００４は、ステップＳ１７４において学習処理を行い、この時間帯においてアプリケーション処理に失敗した（この時間帯に提供されるサービスに対応していない）ことを学習し、時間別優先情報１０７５Ａを作成し、保存する。
【０３１１】
アプリケーション処理が失敗したので、リーダライタ１００１は、処理をステップＳ１４４に進め、ステップＳ１０１と同様のID要求処理を再度行う。UD１００２は、ステップＳ１５３において、このID要求処理に対応する応答処理を行う。なお、UD１００４は、アプリケーション処理に失敗したので、このID要求処理に応答しないように、例えば所定の時間リーダライタ１００１からの要求を無視するように設定される。従って、UD１００４は、この設定に基づいて、UD１００３と同様に、ステップＳ１４４のID要求処理には応答しない。この処理により、リーダライタ１００１はUD１００２のID１を取得する。
【０３１２】
ID１を取得したリーダライタ１００１は、次に、ステップＳ１４５において、ID１が対応するUDを特定するためのID１認証処理を再度行う。UD１００２は、ステップＳ１５４において、リーダライタ１００１のID１認証処理に対応する処理として、ID１認証処理を行う。ID１に対応するUD１００２は、この認証処理に成功する。
【０３１３】
従って、リーダライタ１００１は、ステップＳ１４６において、このUD１００２（ID１）に対してアプリケーション処理を実行する。UD１００２もリーダライタ１００１の処理に対応して、ステップＳ１５５においてアプリケーション処理を行う。UD１００２はリーダライタ１００１の提供するサービスに対応しているため、このアプリケーション処理（ステップＳ１５５）は、成功する。UD１００２は、ステップＳ１５６において学習処理を行い、この時間帯においてアプリケーション処理に成功した（この時間帯に提供されるサービスに対応している）ことを学習し、時間別優先情報１０７５Ａを作成し、保存する。
【０３１４】
図３４の各デバイス（リーダライタ１００１、並びにUD１００２乃至UD１００４）は、サービスの提供に関して、以上のように通信処理を行う。このように処理することにより、例えば、図４０のステップＳ１０１、図４１のステップＳ１４１、または図４１のステップＳ１４４における、リーダライタ１００１のID要求処理において、リーダライタ１００１に優先的に取得させる（先にリーダライタ１００１に取得させる）IDを、各UDが（ある程度）制御することができる。つまり、各UDは、アプリケーション処理が成功する可能性の高いUDのIDを優先的にリーダライタ１００１に取得させるようにすることができる。
【０３１５】
次に、図４２のタイミングチャートを参照して、リーダライタ１００１によるID要求処理や、UD１００２乃至UD１００４による、それに対する応答処理の詳細を説明する。
【０３１６】
リーダライタ１００１がステップＳ１８１においてID返答要求処理を行い、UD１００２乃至UD１００４に対してIDを要求すると、UD１００２乃至UD１００４は、それぞれ、ステップＳ１９１、ステップＳ２０１、およびステップＳ２１１において、その要求を取得する。
【０３１７】
ID返答要求を取得すると、UD１００２乃至UD１００４は、それぞれ、ステップＳ１９２、ステップＳ２０２、およびステップＳ２１２において、乱数を生成し、その乱数値に従って、ステップＳ１９３、ステップＳ２０３、およびステップＳ２１３において、それぞれ、ID１返答処理、ID２返答処理、およびID３返答処理を行う。例えば、図４２に示される例の場合、４つのタイムスロット（TS＝０乃至３）のうち、最初のタイムスロット（TS＝０）において、UD１００３が、ステップＳ２０３のID２返答処理を行い、ID２をリーダライタ１００１に送信する。また、２番目のタイムスロット（TS＝１）において、UD１００４が、ステップＳ２１３のID３返答処理を行い、ID３をリーダライタ１００１に送信する。そして、最後のタイムスロット（TS＝３）において、UD１００１が、ステップＳ１９３のID１返答処理を行い、ID１をリーダライタ１００１に送信する。
【０３１８】
つまり、この図４２の例の場合、リーダライタ１００１は、ID２を優先的に取得する。
【０３１９】
なお、図４２の例においては、説明の便宜上、各UDのID返答において、コリジョン（信号衝突）が例外的に発生していない（ID返答が行われたタイムスロットが互いに異なる）場合について説明している。仮に、１つのタイムスロットにおいて２つ以上のID返答があった場合、リーダライタ１００１は、それらのID返答を混信して受信するため（ID返答にコリジョンが発生するため）正しいIDが受け取れない。つまり、各UDのIDは互いに異なっているため、値の異なるビットが混信することになり、リーダライタ１００１は、「０」を受信したのか、「１」を受信したのか判別することができず、受信したIDが不明になる。
【０３２０】
例えば、値が「00000000」のIDと、値が「FFFFFFFF」のIDが同じタイムスロットにおいて返答された場合、リーダライタ１００１は、値が「AAAAAAAA」のIDを受信したと勝手に判定し、それに基づいて鍵を生成して認証を行うが、IDが違うので鍵も違っていて認証エラーが起きてしまう。このようにID返答においてコリジョンが発生すると、リーダライタ１００１は正しくIDを受信することができず、認証エラーを発生させてしまう恐れがある。なお、以上において、リーダライタ１００１が受信したIDの値を「AAAAAAAA」と判定するように説明したが、この値はあくまでも一例であり、例えば「55555555」と判定しても、オール０と判定しても、オールFと判定しても、またはそれら以外の値と判定してもよい。仮に、リーダライタ１００１が勝手に判定したIDの値が、正しいIDの値と偶然一致した場合、認証エラーは発生しないので、リーダライタ１００１は正常にその後の処理を行うことができる。
【０３２１】
次に、図４３および図４４のタイミングチャートを参照して、リーダライタ１００１や、UD１００２乃至UD１００４による、ID認証処理の詳細を説明する。なお、図４３および図４４に示される例は、図４０のステップＳ１０２、ステップＳ１１２、ステップＳ１２２、およびステップＳ１３２に対応するID２の認証処理の例である。その他のID認証処理についても同様である。
【０３２２】
ただし、以下においては、この通信システム１０００に対応する全てのリーダライタ（リーダライタ１００１を含む）が共通の暗号化鍵である秘密鍵（マスターキー）Ｋmを予め有しており、UD１００２乃至UD１００４が、それぞれ、互いに異なる暗号化鍵である秘密鍵ＫCard1、ＫCard2、またはＫCard3を有しているものとする。また、この秘密鍵ＫCard1は、秘密鍵Ｋmを用いてID１を所定の方式（例えばDES（Data Encryption Standard）等）により暗号化したものである。同様に、秘密鍵ＫCard2は、秘密鍵Ｋmを用いてID２を暗号化したものであり、秘密鍵ＫCard3は、秘密鍵Ｋmを用いてID３を暗号化したものである。
【０３２３】
ID２認証処理を開始すると、リーダライタ１００１は、まず、ステップＳ２２１において、取得したID２と、予め保持している秘密鍵ＫmよりＫCard2を生成する。ステップＳ２２２において、リーダライタ１００１は、所定のビット数の乱数Ｒ１を生成する。
【０３２４】
次に、ステップＳ２２３において、リーダライタ１００１は、暗号化されたメッセージである暗号メッセージＤ１（Ｄ１＝Funk（Ｒ１＋ID２，ＫCard2））を作成する。Funk（R1＋ID２，ＫCard2）は、乱数Ｒ１を秘密鍵ＫCard2で暗号化し（Ｒ１’）、それとID２との排他的論理和を秘密鍵ＫCard2で暗号化し（ID２’）、ID２’とＲ１’を連結した情報（例えば上位ビットをＲ１’とし、下位ビットをID２’とする情報）である。ステップＳ２２４において、リーダライタ１００１は、この生成した暗号メッセージＤ１をUD１００２乃至UD１００４に送信する。UD１００２乃至UD１００４は、それぞれ、ステップＳ２３１、ステップＳ２４１、およびステップＳ２５１において、その暗号メッセージＤ１を取得する。
【０３２５】
暗号メッセージＤ１を取得すると、UD１００２乃至UD１００４は、それぞれ、ステップＳ２３２、ステップＳ２４２、およびステップＳ２５２において、その暗号メッセージＤ１を、それぞれの秘密鍵ＫCard1、ＫCard2、およびＫCard3を用いて、復号する。そして、それらの復号処理について、UD１００２乃至UD１００４は、それぞれ、ステップＳ２３３、ステップＳ２４３、およびステップＳ２５３において、得られたID（リーダライタ１００１より供給されたID２）を各自のIDと照合するID照合処理を行う。
【０３２６】
図４３の例においては、リーダライタ１００１は、UD１００３の秘密鍵ＫCard2を用いてID２を暗号メッセージＤ１として送信しているので、得られたIDが自分のIDに一致するのはUD１００３のみである。IDが一致すると、UD１００３は、ステップＳ２４４に処理を進め、所定のビット数の乱数Ｒ２を生成し、ステップＳ２４５において、そのＲ２を用いて、暗号メッセージＤ２（Ｄ２＝Funk（Ｒ２＋Ｒ１，ＫCard2））を作成し、ステップＳ２４６においてその暗号メッセージＤ２をリーダライタ１００１に送信する。
【０３２７】
リーダライタ１００１は、ステップＳ２２５においてその暗号メッセージＤ２を取得する。
【０３２８】
暗号メッセージＤ２を取得すると、リーダライタ１００１は、図４４のステップＳ２６１において、秘密鍵ＫCard2を用いて暗号メッセージＤ２を復号し、得られた乱数Ｒ１を照合する。図４４の例のように、得られたＲ１が、図４３のステップＳ２２２において生成した乱数Ｒ１に一致すると、リーダライタ１００１は、図４４のステップＳ２６３において所定のビット数の乱数Ｒ３を生成し、ステップＳ２６４において、その乱数Ｒ３を用いて、暗号メッセージＤ３（Ｄ３＝Funk（Ｒ３＋Ｒ２，ＫCard2））を作成し、ステップＳ２６５においてその暗号メッセージＤ３をUD１００２乃至UD１００４に送信する。
【０３２９】
UD１００２乃至UD１００４は、それぞれ、ステップＳ２７１、ステップＳ２８１、およびステップＳ２９１において、その暗号メッセージＤ３を取得する。
【０３３０】
暗号メッセージＤ３を取得すると、UD１００３は、ステップＳ２８２において、その暗号メッセージＤ３を、秘密鍵ＫCard2を用いて、復号する。なお、UD１００２およびUD１００４は、図４３のステップＳ２３３およびステップＳ２５３において、IDが不一致であったためID認証処理は中止され、それ以上の処理を行わないようになされている。従って、UD１００２およびUD１００４は、暗号メッセージＤ３を取得しても、その復号処理は行わない。
【０３３１】
UD１００３は、ステップＳ２８３において、ステップＳ２８２の復号処理により得られた乱数Ｒ２の照合処理（Ｒ２照合）を行う。復号処理により得られた乱数Ｒ２が、図４３のステップＳ２４４において生成された乱数Ｒ２と一致すると判定された場合、UD１００３は、ステップＳ２８４において、乱数Ｒ３を秘密鍵として秘密通信を行い、アプリケーション処理を行う。この処理に対応して、リーダライタ１００１は、ステップＳ２６６において、乱数Ｒ３を秘密鍵として秘密通信を行い、アプリケーション処理を行う。
【０３３２】
以上のようにID認証処理は行われる。
【０３３３】
次に、UD１００２の学習部１０７４により実行されるアプリケーション処理応答部１０７３のアプリケーション処理結果の学習処理の例について、図４５のフローチャートを参照して説明する。
【０３３４】
学習処理が開始されると、学習部１０７４の現在時刻情報取得部１０９６は、ステップＳ３０１において、現在時刻情報を取得し、それを時間別優先情報作成部１０９７に供給する。ステップＳ３０２において、時間別優先情報作成部１０９７は、アプリケーション処理応答部１０７３のアプリケーション処理が成功したか否かを判定する。アプリケーション処理が成功したと判定した場合、時間別優先情報作成部１０９７は、処理をステップＳ３０３に進め、現在時刻における優先度が高くなるように時間別優先情報１０７５Ａを作成し、それを時間別優先情報保存制御部１０９８に供給し、処理をステップＳ３０５に進める。
【０３３５】
また、ステップＳ３０２において、アプリケーション処理応答部１０７３のアプリケーション処理が失敗したと判定した場合、時間別優先情報作成部１０９７は、処理をステップＳ３０４に進め、現在時刻における優先度が低くなるように時間別優先情報１０７５Ａを作成し、それを時間別優先情報保存制御部１０９８に供給し、処理をステップＳ３０５に進める。
【０３３６】
ステップＳ３０５において、時間別優先情報保存制御部１０９８は、その時間別優先情報１０７５Ａを優先情報保持部１０７５に供給し、保存させ、学習処理を終了する。
【０３３７】
このように学習部１０７４が、アプリケーション処理結果を時間帯毎に学習することにより、時間別優先情報１０７５Ａが作成されるので、ID要求応答部１０７１は、その時間別優先情報１０７５Ａを利用して、ID要求に対する応答処理を行うことができ、アプリケーション処理の失敗の回数を抑制するようにすることができる。
【０３３８】
図４６のフローチャートを参照して、ID要求応答部１０７１により実行されるID要求応答処理の例を説明する。
【０３３９】
ID要求応答処理が開始されると、ステップＳ３２１において、ID要求取得部１０８１は、ID要求の受け付けを開始し、ステップＳ３２２において、ID要求を取得したか否かを判定する。ID要求を取得したと判定した場合、ID要求取得部１０８１は、処理をステップＳ３２３に進める。ステップＳ３２３において出力TS制御部１０８２は、出力TS制御処理を実行する。出力TS制御処理の詳細は後述する。出力TS制御処理が終了すると、ID返答供給部１０８３は、出力TS制御部１０８２により設定されたタイムスロットにおいて、ID返答を供給し、ID要求応答処理を終了する。
【０３４０】
また、ステップＳ３２２において、ID要求を取得していないと判定した場合、ID要求取得部１０８１は、ID要求応答処理を終了する。
【０３４１】
次に、図４６のステップＳ３２３において実行される出力TS制御処理の詳細の例を、図４７のフローチャートを参照して説明する。
【０３４２】
図４７のステップＳ３４１において乱数生成用重み付け情報生成部１０９１は、優先情報保持部１０７５より取得した時間別優先情報１０７５Ａ、および、タイマ１０６３より取得した現在時刻に基づいて、乱数生成用重み付け情報を生成し、それを乱数生成部１０９２に供給する。乱数生成部１０９２は、ステップＳ３４２において、その乱数生成用重み付け情報を用いて乱数を生成し、それを出力TS設定部１０９３に供給する。出力TS設定部１０９３は、ステップＳ３４３において、生成された乱数値に基づいてID返答を出力するタイムスロットを生成し、それをID返答供給部１０８３に供給し、出力TS制御処理を終了し、図４６のステップＳ３２３に処理を戻し、ステップＳ３２４以降の処理を実行させる。
【０３４３】
以上のように、UD１００２乃至UD１００４（通信システム１０００）は、アプリケーション処理が成功する可能性に基づいてID供給処理を行うタイムスロットの割り当てを制御するので、通信処理をより高効率化させることができ、アプリケーション処理の失敗等による速度の低下を抑制することができる。
【０３４４】
なお、例えば、通信システム１０００において、各リーダライタ１００１のそれぞれに互いに異なるIDを割り当て、リーダライタ１００１が、UD１００２乃至UD１００４に対してIDを要求する際に、自分のIDを送信するようにすることにより、UD１００２乃至UD１００４は、そのIDに基づいて応答するか否かを判定することができる。
【０３４５】
しかしながら、この場合、リーダライタ１００１の数は膨大であるので、IDのビット数が少ないと、リーダライタ１００１に割り当てるためのIDが不足してしまう恐れがある。また、IDが不足しないように、ビット数を増大させると、通信処理の負荷が著しく増大する恐れがあった。
【０３４６】
上述したように、学習部１０７４が学習処理により時間別優先情報１０７５Ａを生成し、出力TS制御部１０８２がその時間別優先情報１０７５Ａを用いてID返答の割り当てを行うことにより、UD１００２乃至UD１００４（通信システム１０００）は、通信処理の負荷を増大させずに各処理をより高効率化させることができ、アプリケーション処理の失敗等による速度の低下を抑制することができる。
【０３４７】
なお、上述した優先度は、時間帯別でなくてもよく、例えば、リーダライタ１００１の機種別であってもよい。
【０３４８】
図４８は、その場合のリーダライタ１００１の構成例を示すブロック図である。
【０３４９】
図４８において、リーダライタ１００１の通信制御部１０３１には、図３５の場合のID取得処理部１０４１の代わりに、ID取得処理部１１０１および機種識別情報保持部１１０２を有している。例えば、図４９のタイミングチャートに示される、リーダライタ１００１によるID要求処理や、UD１００２乃至UD１００４による、それに対する応答処理において、ID取得処理部１１０１は、ステップＳ３８１に示されるように、機種識別情報保持部１１０２より供給された機種識別情報をID要求とともにUD１００２乃至UD１００４に対して送信する。
【０３５０】
機種識別情報保持部１１０２は、例えば、リーダライタ１００１の機種を示す、所定のビット数の識別情報を予め保持しており、それを要求に基づいてID取得処理部１１０１に供給する。機種識別情報は、例えば、リーダライタ１００１が提供するサービスの種類を示す情報であり、上述した各リーダライタ固有の識別情報よりも少ないビット数により構成される。従って、この機種識別情報の送信による負荷は微小であり、通信処理時間に大きな影響は与えない。
【０３５１】
なお、図４９のタイミングチャートに示されるように、UD１００２乃至UD１００４は、それぞれ、ステップＳ３９１、ステップＳ４０１、およびステップＳ４１１において、機種識別情報をID返答要求とともに取得するが、ID要求処理やその応答処理においては、その機種識別情報は用いないので、乱数生成やID返答等のその他の処理は図４２に示されるタイミングチャートと同様に実行される。
【０３５２】
図５０は、この場合のUD１００２の内部の構成例を示すブロック図である。
【０３５３】
図５０に示されるように、UD１００２の通信制御部１０６１は、学習部１１１１および出力TS制御部１１１２を有している。
【０３５４】
この場合、UD１００２（並びにUD１００３およびUD１００４）の学習部１１１１は、ID要求取得部１０８１により取得された機種識別情報を取得し、機種別優先情報１０７５Ｂを生成し、それを優先情報保持部１０７５に保持させる。
【０３５５】
出力TS制御部１１１２は、優先情報保持部１０７５に保持される機種別優先情報１０７５Ｂを取得し、それに基づいてID返答を行うタイムスロットを設定する。
【０３５６】
図５１は、この機種別優先情報１０７５Ｂの構成例を示す図である。図５１に示されるように、機種識別情報（機種ID）と優先度が関連付けられている。
【０３５７】
図５２は、この場合の図５０の学習部１１１１の詳細な構成例を示すブロック図である。
【０３５８】
図５２において、学習部１１１１は、機種識別情報取得部１１２１、機種別優先情報作成部１１２２、および機種別優先情報保存制御部１１２３を有する。
【０３５９】
機種識別情報取得部１１２１は、ID要求取得部１０８１より機種識別情報を取得し、それを機種別優先情報作成部１１２２に供給する。機種別優先情報作成部１１２２は、その機種識別情報に基づいて、機種別優先情報１０７５Ｂを作成し、それを機種別優先情報保存制御部１１２３に供給する。機種別優先情報保存制御部１１２３は、その供給された機種別優先情報１０７５Ｂを優先情報保持部１０７５に供給し保持させる。
【０３６０】
図５３は、図５０の出力TS制御部１１１２の詳細な構成例を示すブロック図である。図５３において、出力TS制御部１１１２は、乱数生成用重み付け情報生成部１１３１、乱数生成部１１３２、および出力TS設定部１１３３を有している。乱数生成用重み付け情報生成部１１３１は、ID要求取得部１０８１より取得した機種識別情報と、優先情報保持部１０７５より供給される機種別優先情報に基づいて乱数生成用重み付け情報を生成し、それを乱数生成部１１３２に供給する。乱数生成部１１３２は乱数を生成し、それを出力TS設定部１１３３に供給する。出力TS設定部１１３３は、取得した乱数に対応するタイムスロットにID返答処理を割り当て、その情報をID返答供給部１０８３に供給する。
【０３６１】
次に、図５４のフローチャートを参照して、この場合の学習処理の例を説明する。
【０３６２】
学習処理が開始されると、学習部１１１１の機種識別情報取得部１１２１は、ステップＳ３６１において、ID要求取得部１０８１より機種識別情報を取得し、それを機種別優先情報作成部１１２２に供給する。ステップＳ３６２において、機種別優先情報作成部１１２２は、アプリケーション処理応答部１０７３のアプリケーション処理が成功したか否かを判定する。アプリケーション処理が成功したと判定した場合、機種別優先情報作成部１１２２は、処理をステップＳ３６３に進め、この機種に対してIDを送信する場合の優先度が高くなるように機種別優先情報１０７５Ｂを作成し、それを機種別優先情報保存制御部１１２３に供給し、処理をステップＳ３６５に進める。
【０３６３】
また、ステップＳ３６２において、アプリケーション処理応答部１０７３のアプリケーション処理が失敗したと判定した場合、機種別優先情報作成部１１２２は、処理をステップＳ３６４に進め、この機種に対してIDを送信する場合の優先度が低くなるように時間別優先情報１０７５Ｂを作成し、それを機種別優先情報保存制御部１１２３に供給し、処理をステップＳ３６５に進める。
【０３６４】
ステップＳ３６５において、機種別優先情報保存制御部１１２３は、その機種別優先情報１０７５Ｂを優先情報保持部１０７５に供給し、保存させ、学習処理を終了する。
【０３６５】
このように学習部１１１１が、アプリケーション処理結果をリーダライタ１００１の機種毎に学習することにより、機種別優先情報１０７５Ｂが作成されるので、ID要求応答部１０７１は、その機種別優先情報１０７５Ｂを利用して、ID要求に対する応答処理を行うことができ、アプリケーション処理の失敗の回数を抑制するようにすることができる。
【０３６６】
ID要求応答部１０７１により実行されるID要求応答処理は、この場合も、図４６のフローチャートを参照して説明した場合と同様に実行される。次に、この場合において、図４６のステップＳ３２３において実行される出力TS制御処理の詳細の例を、図５５のフローチャートを参照して説明する。
【０３６７】
図５５のステップＳ３８１において乱数生成用重み付け情報生成部１１３１は、優先情報保持部１０７５より取得した機種別優先情報１０７５Ｂ、および、ID要求取得部１０８１より取得した機種識別情報に基づいて、乱数生成用重み付け情報を生成し、それを乱数生成部１１３２に供給する。乱数生成部１１３２は、ステップＳ３８２において、その乱数生成用重み付け情報を用いて乱数を生成し、それを出力TS設定部１１３３に供給する。出力TS設定部１１３３は、ステップＳ３８３において、生成された乱数値に基づいてID返答を出力するタイムスロットを生成し、それをID返答供給部１０８３に供給し、出力TS制御処理を終了し、図４６のステップＳ３２３に処理を戻し、ステップＳ３２４以降の処理を実行させる。
【０３６８】
以上のように、UD１００２乃至UD１００４（通信システム１０００）は、アプリケーション処理が成功する可能性に基づいてID供給処理を行うタイムスロットの割り当てを制御するので、通信処理をより高効率化させることができ、アプリケーション処理の失敗等による速度の低下を抑制することができる。
【０３６９】
このように、リーダライタ１００１を機種毎に識別する程度の情報量の機種識別情報をリーダライタ１００１に予め保持させ、ID要求の際にその機種識別情報をUDに供給するようにする。そして、UDの学習部１１１１が学習処理によって、その機種識別情報毎にアプリケーション処理の成否を学習し、その学習結果として機種別優先情報１０７５Ｂを生成するようにする。そして、UDの出力TS制御部１１１２がその機種別優先情報１０７５Ｂを用いてID返答を割り当てるタイムスロットを制御するようにする。このようにすることにより、リーダライタ１００１、並びにUD１００２乃至UD１００４（通信システム１０００）は、通信処理の負荷を増大させずに各処理をより高効率化させることができ、アプリケーション処理の失敗等による速度の低下を抑制することができる。
【０３７０】
なお、リーダライタ１００１の分類単位は、上述した機種以外にも、例えば、機能、提供するサービス、製造年、製造会社や運営企業、製造工場、設置地域、または設置場所等であってもよいし、これら以外であってももちろんよい。さらに、複数の項目を組み合わせて分類するようにしてもよい。
【０３７１】
また、例えば、UDが、上述した時間別優先情報１０７５Ａと機種別優先情報１０７５Ｂの両方を参照して、ID処理を割り当てるタイムスロットを決定するようにしてもよい。すなわち、UDが複数種類の条件に基づく優先情報を利用して、ID処理を割り当てるタイムスロットを決定するようにしてもよい。
【０３７２】
なお、図３４乃至図５５を参照して上述した本発明は、図３４の通信システム１０００以外にも適用可能である。
【０３７３】
例えば、図５６Ａに示されるように、リーダライタおよびICカードにより構成される非接触型のICカードシステムであってもよい。図５６Ａの場合、非接触型ICカードシステム１２００は、非接触型ICカードに対して情報の読み書きを行うリーダライタ１２０１と、非接触型のICカード１２０２およびICカード１２０３を有している。本発明を適用することにより、非接触型ICカードシステム１２００（各デバイス）は、リーダライタ１２０１に対して同時に近接されたICカード１２０２およびICカード１２０３のうち、リーダライタ１２０１が提供するサービスに対応する可能性の高い方のICカードのIDが優先的にリーダライタ１２０１に通知されるように制御する。これにより、非接触型ICカードシステム１２００（リーダライタ１２０１、並びに、ICカード１２０２およびICカード１２０３）は、通信処理の速度の低下を抑制することができる。
【０３７４】
また、例えば、図５６Ｂに示されるように、無線通信装置同士による無線通信システムであってもよい。図５６Ｂの場合、無線通信システム１３００は、３台の無線通信装置（無線通信装置１３０１乃至無線通信装置１３０３）を有している。本発明を適用することにより、無線通信システム１３００（各デバイス）は、例えば無線通信装置１３０１が他の無線通信装置に対してサービスを提供する場合、無線通信装置１３０１による他の無線通信装置の検索処理に対して、通信可能な無線通信装置１３０２および無線通信装置１３０３のうち、無線通信装置１３０１が提供するサービスに対応する可能性の高い方の無線通信装置のIDが優先的に無線通信装置１３０１に通知されるように制御する。これにより、無線通信システム１３００（無線通信装置１３０１乃至無線通信装置１３０３）は、通信処理の速度の低下を抑制することができる。
【０３７５】
さらに、例えば、図５６Ｃに示されるように、有線（ネットワーク）により接続されるネットワークシステムであってもよい。図５６Ｃの場合、ネットワークシステム１４００は、パーソナルコンピュータに代表される、サーバ１４０１、端末１４０２、および端末１４０３、並びに、インターネットに代表されるネットワーク１４１０を有している。端末１４０２および端末１４０３は、それぞれネットワーク１４１０を介してサーバ１４０１に接続されている。本発明を適用することにより、ネットワークシステム１４００（各デバイス）は、サーバ１４０１による端末の検索処理に対して、通信可能な端末１４０２および端末１４０３のうち、サーバ１４０１が提供するサービスに対応する可能性の高い方の端末のIDが優先的にサーバ１４０１に通知されるように制御する。これにより、ネットワークシステム１４００（サーバ１４０１、並びに、端末１４０２および端末１４０３）は、通信処理の速度の低下を抑制することができる。
【０３７６】
上述した一連の処理は、ハードウェアにより実行させることもできるし、ソフトウエアにより実行させることもできる。この場合、例えば、上述した各装置は、それぞれ、図５７に示されるようなパーソナルコンピュータとして構成されるようにしてもよい。
【０３７７】
図５７において、パーソナルコンピュータ１５００のCPU（Central Processing Unit）１５０１は、ROM（Read Only Memory）１５０２に記憶されているプログラム、または記憶部１５１３からRAM（Random Access Memory）１５０３にロードされたプログラムに従って各種の処理を実行する。RAM１５０３にはまた、CPU１５０１が各種の処理を実行する上において必要なデータなども適宜記憶される。
【０３７８】
CPU１５０１、ROM１５０２、およびRAM１５０３は、バス１５０４を介して相互に接続されている。このバス１５０４にはまた、入出力インタフェース１５１０も接続されている。
【０３７９】
入出力インタフェース１５１０には、キーボード、マウスなどよりなる入力部１５１１、CRT（Cathode Ray Tube）、LCD（Liquid Crystal Display）などよりなるディスプレイ、並びにスピーカなどよりなる出力部１５１２、ハードディスクなどより構成される記憶部１５１３、モデムなどより構成される通信部１５１４が接続されている。通信部１５１４は、インターネットを含むネットワークを介しての通信処理を行う。
【０３８０】
入出力インタフェース１５１０にはまた、必要に応じてドライブ１５１５が接続され、磁気ディスク、光ディスク、光磁気ディスク、或いは半導体メモリなどのリムーバブルメディア１５２１が適宜装着され、それらから読み出されたコンピュータプログラムが、必要に応じて記憶部１５１３にインストールされる。
【０３８１】
上述した一連の処理をソフトウエアにより実行させる場合には、そのソフトウエアを構成するプログラムが、ネットワークや記録媒体からインストールされる。
【０３８２】
この記録媒体は、例えば、図５７に示されるように、装置本体とは別に、ユーザにプログラムを配信するために配布される、プログラムが記録されている磁気ディスク（フレキシブルディスクを含む）、光ディスク（CD-ROM(Compact Disk-Read Only Memory),DVD(Digital Versatile Disk)を含む）、光磁気ディスク（ＭＤ（Mini-Disk）（登録商標）を含む）、もしくは半導体メモリなどよりなるリムーバブルメディア１５２１により構成されるだけでなく、装置本体に予め組み込まれた状態でユーザに配信される、プログラムが記録されているROM１５０２や、記憶部１５１３に含まれるハードディスクなどで構成される。
【０３８３】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０３８４】
また、本明細書において、システムとは、複数のデバイス（装置）により構成される装置全体を表すものである。なお、以上において、一つの装置として説明した構成を分割し、複数の装置として構成するようにしてもよい。逆に、以上において複数の装置として説明した構成をまとめて一つの装置として構成されるようにしてもよい。また、各装置の構成に上述した以外の構成を付加するようにしてももちろんよい。さらに、システム全体としての構成や動作が実質的に同じであれば、ある装置の構成の一部を他の装置の構成に含めるようにしてもよい。
【図面の簡単な説明】
【０３８５】
【図１】本発明を適用した通信システムの一実施形態に係る構成例を示す図である。
【図２】理想状態における、図１の通信システムの等価回路の例を示す図である。
【図３】図２のモデルにおいて、受信負荷抵抗の両端に生じる電圧の実効値の計算結果の例を示す図である。
【図４】図１の通信システムの物理的な構成のモデルの例を示す図である。
【図５】図４のモデルにおいて発生する各パラメータのモデルの例を示す図である。
【図６】電極に対する電気力線の分布の例を示す模式図である。
【図７】電極に対する電気力線の分布の、他の例を示す模式図である。
【図８】送信装置における電極のモデルの、他の例を説明する図である。
【図９】図５のモデルの等価回路の例を示す図である。
【図１０】図９の通信システムの周波数特性の例を示す図である。
【図１１】受信装置において受信された信号の例を示す図である。
【図１２】電極の配置場所の例を示す図である。
【図１３】電極の配置場所の、他の例を示す図である。
【図１４】電極の配置場所の、さらに他の例を示す図である。
【図１５】電極の配置場所の、さらに他の例を示す図である。
【図１６】電極の配置場所の、さらに他の例を示す図である。
【図１７】電極の配置場所の、さらに他の例を示す図である。
【図１８】電極の配置場所の、さらに他の例を示す図である。
【図１９】電極の構成例を示す図である。
【図２０】電極の、他の構成例を示す図である。
【図２１】図５のモデルの等価回路の、他の例を示す図である。
【図２２】図１の通信システムの配置例を示す図である。
【図２３】本発明を適用した通信システムの、他の構成例を示す図である。
【図２４】本発明を適用した通信システムの一実施形態に係る実際の利用例を示す図である。
【図２５】本発明を適用した通信システムの一実施形態に係る他の利用例を示す図である。
【図２６】本発明を適用した通信システムの、さらに他の構成例を示す図である。
【図２７】周波数スペクトルの分布例を示す図である。
【図２８】本発明を適用した通信システムの、さらに他の構成例を示す図である。
【図２９】周波数スペクトルの分布例を示す図である。
【図３０】本発明を適用した通信システムの、さらに他の構成例を示す図である。
【図３１】信号の時間分布の例を示す図である。
【図３２】通信処理の流れの例を示すフローチャートである。
【図３３】本発明を適用した通信システムの、さらに他の構成例を示す図である。
【図３４】本発明を適用した通信システムの一実施形態に係る実際の利用例を示す図である。
【図３５】図３４のリーダライタの構成例を説明するブロック図である。
【図３６】図３４のUDの構成例を説明するブロック図である。
【図３７】時間別優先情報の構成例を示す模式図である。
【図３８】図３６の出力TS制御部の構成例を示すブロック図である。
【図３９】図３６の学習部の構成例を示すブロック図である。
【図４０】図３４の通信システムによるアプリケーション処理を終了するまでの通信処理の流れの例を説明するタイミングチャートである。
【図４１】図３４の通信システムによるアプリケーション処理を終了するまでの通信処理の流れの例を説明する、図４０に続くタイミングチャートである。
【図４２】ID要求処理の流れの例を説明するタイミングチャートである。
【図４３】ID認証処理の流れの例を説明するタイミングチャートである。
【図４４】ID認証処理の流れの例を説明する、図４３に続くタイミングチャートである。
【図４５】学習処理の例を説明するフローチャートである。
【図４６】ID要求応答処理の例を説明するフローチャートである。
【図４７】出力TS制御処理の例を説明するフローチャートである。
【図４８】図３４のリーダライタの他の構成例を説明するブロック図である。
【図４９】ID要求処理の流れの他の例を説明するタイミングチャートである。
【図５０】図３４のUDの他の構成例を説明するブロック図である。
【図５１】機種別優先情報の構成例を示す模式図である。
【図５２】図５０の学習部の構成例を示すブロック図である。
【図５３】図５０の出力TS制御部の構成例を示すブロック図である。
【図５４】学習処理の他の例を説明するフローチャートである。
【図５５】出力TS制御処理の他の例を説明するフローチャートである。
【図５６】本発明を適用した通信システムの、さらに他の構成例を示す図である。
【図５７】本発明を適用したパーソナルコンピュータの構成例を示す図である。
【符号の説明】
【０３８６】
１０００  通信システム，  １００１  リーダライタ，  １００２乃至１００４  UD，  １０１１  通信部，  １０１２  基準電極，  １０１３  信号電極，  １０１４  サービス提供部，  １０２１乃至１０２３  ユーザ，  １０７１  ID要求応答部，  １０７３  アプリケーション処理応答部，  １０７４  学習部，  １０７５  優先情報保持部，  １０７５Ａ  時間別優先情報，  １０７５Ｂ  機種別優先情報，  １０８２  出力TS制御部，  １０９１  乱数生成用重み付け情報生成部，  １０９６  現在時刻情報取得部，  １０９７  時間別優先情報作成部，  １１０２  機種別情報保持部，  １１０１  ID取得処理部，  １１１１  学習部，  １１１２  出力TS制御部，  １１２１  機種識別情報取得部，  １１２２  機種別優先情報作成部，  １１３１  乱数生成用重み付け情報生成部
【図１】
2006352699.tif 000027
【図２】
2006352699.tif 000028
【図３】
2006352699.tif 000029
【図４】
2006352699.tif 000030
【図５】
2006352699.tif 000031
【図６】
2006352699.tif 000032
【図７】
2006352699.tif 000033
【図８】
2006352699.tif 000034
【図９】
2006352699.tif 000035
【図１０】
2006352699.tif 000036
【図１１】
2006352699.tif 000037
【図１２】
2006352699.tif 000038
【図１３】
2006352699.tif 000039
【図１４】
2006352699.tif 000040
【図１５】
2006352699.tif 000041
【図１６】
2006352699.tif 000042
【図１７】
2006352699.tif 000043
【図１８】
2006352699.tif 000044
【図１９】
2006352699.tif 000045
【図２０】
2006352699.tif 000046
【図２１】
2006352699.tif 000047
【図２２】
2006352699.tif 000048
【図２３】
2006352699.tif 000049
【図２４】
2006352699.tif 000050
【図２５】
2006352699.tif 000051
【図２６】
2006352699.tif 000052
【図２７】
2006352699.tif 000053
【図２８】
2006352699.tif 000054
【図２９】
2006352699.tif 000055
【図３０】
2006352699.tif 000056
【図３１】
2006352699.tif 000057
【図３２】
2006352699.tif 000058
【図３３】
2006352699.tif 000059
【図３４】
2006352699.tif 000060
【図３５】
2006352699.tif 000061
【図３６】
2006352699.tif 000062
【図３７】
2006352699.tif 000063
【図３８】
2006352699.tif 000064
【図３９】
2006352699.tif 000065
【図４０】
2006352699.tif 000066
【図４１】
2006352699.tif 000067
【図４２】
2006352699.tif 000068
【図４３】
2006352699.tif 000069
【図４４】
2006352699.tif 000070
【図４５】
2006352699.tif 000071
【図４６】
2006352699.tif 000072
【図４７】
2006352699.tif 000073
【図４８】
2006352699.tif 000074
【図４９】
2006352699.tif 000075
【図５０】
2006352699.tif 000076
【図５１】
2006352699.tif 000077
【図５２】
2006352699.tif 000078
【図５３】
2006352699.tif 000079
【図５４】
2006352699.tif 000080
【図５５】
2006352699.tif 000081
【図５６】
2006352699.tif 000082
【図５７】
2006352699.tif 000083